(57)【要約】      （修正有）【課題】一方の端末で映像を受信する際に他方の端末のユーザの負担を軽減できる情報処理装置を提供すること。【解決手段】配信元が配信する映像を端末が受信するための処理を行う情報処理装置５０であって、第２の端末から前記映像の配信要求及び第２の端末のアカウント情報を取得する配信要求取得手段と、第２の端末のアカウント情報と第１の端末のアカウント情報が対応付けられているアカウント情報記憶部から読み出した前記第１の端末のアカウント情報に基づいて、前記第１の端末が映像の配信を受けているか否かを判定する判定手段と、前記判定手段による判定結果に応じて、前記第２の端末から前記映像の配信要求があった旨を前記第１の端末に対して通知する通知手段と、を有する。【選択図】図１
2017143443.tif 000002
【特許請求の範囲】
【請求項１】
配信元が配信する映像を端末が受信するための処理を行う情報処理装置であって、
第２の端末から前記映像の配信要求及び前記第２の端末のアカウント情報を取得する配信要求取得手段と、
前記第２の端末のアカウント情報と第１の端末のアカウント情報が対応付けられているアカウント情報記憶部から読み出した前記第１の端末のアカウント情報に基づいて、前記第１の端末が映像の配信を受けているか否かを判定する判定手段と、
前記判定手段による判定結果に応じて、前記第２の端末から前記映像の配信要求があった旨を前記第１の端末に対して通知する通知手段と、
を有する情報処理装置。
【請求項２】
前記第１の端末が映像の配信を受けていないと前記判定手段が判定した場合、前記通知手段は、前記アカウント情報記憶部において前記第２の端末のアカウント情報に対応付けられている前記第１の端末に対し、前記第２の端末の閲覧を承認するか否かを問い合わせる請求項１に記載の情報処理装置。
【請求項３】
前記第１の端末から前記第２の端末の閲覧を承認する旨が送信されると、前記映像を配信するためのセッションを前記配信元と前記第２の端末との間で確立するセッション確立手段を有する請求項２に記載の情報処理装置。
【請求項４】
前記第１の端末が映像の配信を受けていると前記判定手段が判定した場合、前記通知手段は、前記アカウント情報記憶部において前記第２の端末のアカウント情報に対応付けられている前記第１の端末に対し、前記第２の端末が閲覧することを通知し、
前記セッション確立手段は、前記第１の端末から前記第２の端末の閲覧を承認する旨が送信されなくても、前記配信元と前記第２の端末との間でセッションを確立する請求項３に記載の情報処理装置。
【請求項５】
前記第１の端末が映像の配信を受けていると前記判定手段が判定した場合、前記通知手段は、前記アカウント情報記憶部において前記第２の端末のアカウント情報に対応付けられている前記第１の端末に対し、前記第２の端末が閲覧することを通知せず、
前記セッション確立手段は、前記第１の端末から前記第２の端末の閲覧を承認する旨が送信されなくても、前記配信元と前記第２の端末との間で前記セッションを確立する請求項３に記載の情報処理装置。
【請求項６】
前記アカウント情報記憶部には、前記第２の端末のアカウント情報の有効期間が登録されており、
前記第２の端末から前記映像の配信要求が送信された日が前記有効期間に含まれていなと前記判定手段が判定した場合、前記通知手段は、前記映像の配信をできない旨を前記第２の端末に通知する請求項１〜５のいずれか１項に記載の情報処理装置。
【請求項７】
前記情報処理装置により前記アカウント情報により認証された前記第１の端末から、前記第２の端末の前記アカウント情報の登録を受け付け、前記第１の端末の前記アカウント情報と対応付けて前記アカウント情報記憶部に記憶させる請求項１〜５のいずれか１項に記載の情報処理装置。
【請求項８】
映像の配信を受けている前記第２の端末の一覧要求が前記端末から送信された場合、
映像の配信を受けている前記第２の端末のアカウント情報が登録されている映像配信端末記憶部を参照して、映像の配信を受けている前記第２の端末の一覧情報を前記端末に送信する請求項１〜７のいずれか１項に記載の情報処理装置。
【請求項９】
配信元が配信する映像を端末が受信するための処理を行う情報処理装置を、
第２の端末から前記映像の配信要求及び前記第２の端末のアカウント情報を取得する配信要求取得手段と、
前記第２の端末のアカウント情報と第１の端末のアカウント情報が対応付けられているアカウント情報記憶部から読み出した前記第１の端末のアカウント情報に基づいて、前記第１の端末が映像の配信を受けているか否かを判定する判定手段と、
前記判定手段による判定結果に応じて、前記第２の端末から前記映像の配信要求があった旨を前記第１の端末に対して通知する通知手段として機能させるプログラム。
【請求項１０】
配信元から配信される映像を受信する端末と、前記端末が前記映像を受信するための処理を行う情報処理装置とを、有する通信システムであって、
第２の端末は、前記映像の配信要求及び前記第２の端末のアカウント情報を前記情報処理装置に送信する送信手段と、
前記映像を表示する表示手段と、を有し、
前記情報処理装置は、
第２の端末から前記映像の配信要求及び前記第２の端末のアカウント情報を取得する配信要求取得手段と、
前記第２の端末のアカウント情報に第１の端末のアカウント情報が対応付けられているアカウント情報記憶部から読み出した前記第１の端末のアカウント情報に基づいて、前記第１の端末が映像の配信を受けているか否かを判定する判定手段と、
前記判定手段による判定結果に応じて、前記第２の端末から前記映像の配信要求があった旨を前記第１の端末に対して通知する通知手段と、
を有する通信システム。
【発明の詳細な説明】
【技術分野】
【０００１】
本発明は、情報処理装置、プログラム及び通信システムに関する。
【背景技術】
【０００２】
配信元に設置されたライブ中継カメラからの映像等のコンテンツデータを、インターネット等の通信ネットワークを介して、複数の端末に配信する配信システムが知られている。一例として、保育園や幼稚園の映像や音声を配信元が保護者の端末に配信する実例がある。これにより、保護者が園内の子供の様子を確認できため、園内でのセキュリティ強化に役立ち、保護者の不安が解消できるといった利点がある。
【０００３】
しかし、保護者がコンテンツデータを閲覧するためのパスワード等が外部に流出した場合、誰でも園内の映像を見ることができてしまう。このような不都合に対しては、園内の映像を見ることが許可されている端末のみがコンテンツデータを閲覧できるようにすることが有効である。以下、このような端末や端末を有する者を「アカウントを有する」と称して説明する。
【０００４】
また、保護者のみがアカウントを有するのでなく、例えば園児の祖父母などがアカウントを有すれば祖父母もコンテンツデータを閲覧できる。しかしながら、祖父母などがアカウントを取得するために自ら端末を操作することが困難な場合がある。保育園側が祖父母などにアカウントを発行することが考えられるが、保育園としても数多くの保護者の全ての祖父母にアカウントを配布することは負担が大きい。
【０００５】
そこで、例えば保護者には入園時などにアカウントが配布されていることを利用して、保護者用のアカウントに関連付けて保護者が親族用のゲストアカウントを発行することが検討される（例えば、特許文献１参照。）。特許文献１には、ログインしてきたユーザ端末から、アカウントの発行要求を受け付けると、新たなアカウント情報を生成し、当該ログインユーザのアカウント情報に関連付けてアカウントデータテーブルに記録するサーバが開示されている。このような方法なら、アカウントの取得のために祖父母が端末を操作したり、保育園側がアカウントを配布する作業が不要になる。
【発明の概要】
【発明が解決しようとする課題】
【０００６】
したがって、保育園の事例では、保育園の代わりに保護者が保護者の権限で祖父母などにゲスト用のアカウントを発行することができる。このようなアカウントを発行できる権限を有するものをマスターと称することにする。一方、マスターにより発行されたゲスト用のアカウントはマスターの権限で発行されているため、ゲストが映像を閲覧する際にはマスターが何らかの承認を行うことが好ましい。
【０００７】
しかし、ゲストが映像を閲覧する際、常にマスターによるゲストの承認が必要とされる場合、マスターの負担が大きいという問題がある。
【０００８】
本発明は、上記課題に鑑み、一方の端末で映像を受信する際に他方の端末のユーザの負担を軽減できる情報処理装置を提供することを目的とする。
【課題を解決するための手段】
【０００９】
本発明は、配信元が配信する映像を端末が受信するための処理を行う情報処理装置であって、第２の端末から前記映像の配信要求及び前記第２の端末のアカウント情報を取得する配信要求取得手段と、前記第２の端末のアカウント情報と第１の端末のアカウント情報が対応付けられているアカウント情報記憶部から読み出した前記第１の端末のアカウント情報に基づいて、前記第１の端末が映像の配信を受けているか否かを判定する判定手段と、前記判定手段による判定結果に応じて、前記第２の端末から前記映像の配信要求があった旨を前記第１の端末に対して通知する通知手段と、を有する。
【発明の効果】
【００１０】
一方の端末で映像を受信する際に他方の端末のユーザの負担を軽減できる情報処理装置を提供できる。
【図面の簡単な説明】
【００１１】
【図１】伝送システムによる映像の配信を模式的に説明する図の一例である。
【図２】伝送システムの概略図の一例である。
【図３】端末のハードウェア構成図の一例である。
【図４】管理システムのハードウェア構成図の一例である。
【図５】伝送システムを構成する各端末、装置及びシステムの機能ブロック図である。
【図６】ゲスト入室管理テーブルへのゲストの登録時にマスターが操作する端末に表示される画面の一例を示す図である。
【図７】配信中にユーザが通話を行う場合の伝送システムのシーケンス図である。
【図８】端末が配信機能を起動した際の表示画面の一例を示す図である。
【図９】会議室を新規に作成する際に表示する会議室新規作成画像を示す図の一例である。
【図１０】会議室の新規作成時の処理を示したシーケンス図の一例である。
【図１１】図７のステップＳ１０４で、配信用の会議室に端末が入室するときの処理を示したシーケンス図である。
【図１２】入室判定の結果に応じた処理を示すフローチャート図の一例である。
【図１３】会議室詳細画面の一例を示す図である。
【図１４】会議室にゲストが入室するために入室ボタンを表示する手順を示すシーケンス図の一例である。
【図１５】図１４の処理において管理システムが行う処理を示すフローチャート図の一例である。
【図１６】ゲストが会議室に入室する手順を示すシーケンス図の一例である。
【図１７】ゲストが会議室に入室する際に管理システムが行う手順を示すフローチャート図の一例である。
【図１８】ゲストの端末がディスプレイに表示する画面の遷移の一例を示す図である。
【図１９】保護者の端末や保育園の端末に表示される画面の一例を説明する図である。
【発明を実施するための形態】
【００１２】
以下、本発明を実施するための形態について図面を参照しながら説明する。
【００１３】
図１は、本実施形態の伝送システムによる映像の配信を模式的に説明する図の一例である。まず、図１（ａ）について説明する。
（１）園児の保護者の通信ＩＤ（以下、保護者ＩＤ）と、保護者が発行した祖父母などの通信ＩＤ（以下、祖父母ＩＤ）とが対応付けて登録されている。通信ＩＤは伝送管理システム５０にログインするためのアカウントである。
（２）保護者が後述する伝送管理システム５０にログインしている。
（３）次に、祖父母が祖父母ＩＤを使用して伝送管理システム５０にログインする。
（４）伝送管理システム５０は祖父母ＩＤが対応付けられている保護者ＩＤの保護者が伝送管理システム５０にログインしているか否かを判定する。
（５）図１（ａ）では保護者がログインしているので、伝送管理システム５０は保護者ＩＤを有する保護者の端末に、ゲストがログインしたことを知らせるメッセージを通知する。
（６）また、伝送管理システム５０は祖父母ＩＤの端末に映像の配信を開始する。
【００１４】
したがって、保護者ＩＤを有する保護者がログインしている場合、保護者は通知を受けることで祖父母がログインしたことを把握できる。保護者以外の者が閲覧することが好ましい映像が配信されているかどうかを保護者が確認しているので、保護者には通知するだけで祖父母の閲覧状態を確認でき、常に保護者が祖父母を承認することを不要にできる。
【００１５】
次に、図１（ｂ）について説明する。
（１）保護者ＩＤに、祖父母ＩＤが対応付けて登録されている。
（２）図１（ｂ）では、保護者が伝送管理システム５０にログインしていない。
（３）次に、祖父母などが祖父母ＩＤを使用して伝送管理システム５０にログインする。
（４）伝送管理システム５０は祖父母ＩＤが対応付けられている保護者ＩＤの保護者が伝送管理システム５０にログインしているか否かを判定する。
（５）図１（ｂ）では保護者がログインしていないので、伝送管理システム５０は保護者ＩＤを有する保護者の端末に、祖父母の閲覧を承認するか拒否するかを問い合わせる承認要求を送信する。
（６）保護者は承認要求を確認し、祖父母のログインを承認又は却下し伝送管理システム５０に送信する。
（７）保護者が承認した場合、伝送管理システム５０は祖父母ＩＤの端末に映像の配信を開始する。
（７´）保護者が承認しなかった場合（拒否した場合）、伝送管理システム５０は承認されなかった旨のメッセージを送信する。
【００１６】
したがって、保護者ＩＤを有する保護者がログインしていない場合、保護者が承認しなければ祖父母が映像を閲覧できない。すなわち、保護者以外の者が閲覧することが好ましい映像が配信されているかどうかを保護者が確認できないので、保護者が承認するまで閲覧を禁止できる。
【００１７】
このように、本実施形態の伝送システムではゲストとしてログインする祖父母などのログイン状態を保護者が把握できる。保護者のログイン状態によって、承認を必要とするか通知のみにするかを自動的に選択でき、祖父母が映像を閲覧するために必要な保護者の手続きを適切に設定できる。
【００１８】
＜用語について＞
アカウント又はアカウント情報とは、映像の閲覧の承認をユーザが伝送システムから受けるための情報をいう。本実施形態では具体的には通信ＩＤをいう。通信ＩＤに加えパスワードを含まれる場合がある。また、この他、アカウントは、指紋などの生体認証情報やＩＣカードに記憶された情報などユーザを特定する情報でもよい。
【００１９】
本実施形態のマスターとは映像配信のサービスを受ける権限を有する者をいい、ゲストとはマスターの権限によりサービスを受けることが可能な者をいう。具体的には、マスターは保育園に保育料などを支払うことでサービスを受ける権利を有している保護者である。ゲストは保護者の権限でサービスを受けられる祖父母などである。マスターの通信ＩＤをマスターＩＤやマスターアカウントという場合があり、ゲストの通信ＩＤをゲストＩＤやゲストアカウントという場合がある。また、マスターの代わりに上位、主、メイン、ゲストの代わりに下位、従、サブなどの用語を用いてもよい。
【００２０】
＜実施形態の全体構成＞
図２は、本発明の一実施形態に係る伝送システム１の概略図であり、まずは図２を用いて、本実施形態の概略を説明する。
【００２１】
伝送システム１には、伝送管理システム５０（以下、管理システムという）を介して一方の端末から他方の端末に一方向でコンテンツデータを伝送するデータ提供システムや、管理システムを介して複数の端末間で情報や感情等を相互に伝達するコミュニケーションシステムが含まれる。このコミュニケーションシステムは、コミュニケーション管理システム（「管理システム」に相当）を介して複数のコミュニケーション端末（「端末」に相当）間で情報や感情等を相互に伝達するためのシステムであり、テレビ会議システムやテレビ電話システム、音声会議システム、音声電話システム、ＰＣ（Ｐｅｒｓｏｎａｌ  Ｃｏｍｐｕｔｅｒ）画面共有システム等が例として挙げられる。
【００２２】
図２に示す伝送システム１は、複数の端末（１０ａａ，１０ａｂ，…）、各端末（１０ａａ，１０ａｂ，…）用のディスプレイ（１２０ａａ，１２０ａｂ，…）、複数の中継装置（３０ａ，３０ｂ，３０ｃ，３０ｄ，３０ｅ）、及び管理システム５０、プログラム提供システム９０、及びメンテナンスシステム１００によって構築されている。
【００２３】
なお、本実施形態では、端末（１０ａａ，１０ａｂ，…）のうち任意の端末を示す場合は単に「端末１０」という。ディスプレイ（１２０ａａ，１２０ａｂ，…）のうち任意のディスプレイを示す場合は単に「ディスプレイ１２０」という。中継装置（３０ａ，３０ｂ，３０ｃ，３０ｄ，３０ｅ）のうち任意の中継装置を示す場合は単に「中継装置３０」という。
【００２４】
端末１０は、コンテンツデータの一例としての画像データ及び音声データの送受信を行う。即ち、本実施形態における通話には、音声データの送受信だけでなく、画像データの送受信も含まれる。即ち、本実施形態における端末１０は、画像データ及び音声データの送受信を行う。但し、端末１０は画像データの送受信を行わず、音声データの送受信を行うようにしてもよい。端末１０は、例えばスマートフォンやノートパソコン等の端末であってもよい、その場合、携帯電話網、無線ＬＡＮ、インターネット等の伝送網を介して管理システム５０等と接続する構成としてもよい。
【００２５】
本実施形態では、画像データの画像が動画の場合について説明するが、動画だけでなく静止画であってもよい。また、画像データの画像を映像と称し、映像には動画と静止画の両方が含まれてもよい。
【００２６】
中継装置３０は、複数の端末１０の間で、画像データ及び音声データの中継を行う。管理システム５０は、コンテンツデータを送受信する複数の端末１０の通信を管理する。端末１０の通信に係る情報は、端末１０に係る情報、複数の端末１０間の通信を中継する中継装置３０に係る情報、並びに、端末１０及び中継装置３０を使用した通信の設定に係る情報等である。より具体的には、管理システム５０は、中継装置３０の稼動状態、及びＩＰアドレス等の中継装置３０毎の情報、並びに、端末１０が使用する中継装置３０を決定するための情報等を記憶する。また、管理システム５０は、端末１０が伝送システム１にログインするための認証情報（通信ＩＤ及びパスワード）、端末１０毎に登録された通信の宛先となる端末の情報、並びに、端末１０及び中継装置３０を使用した通信（セッション）に係る情報等を記憶する。また、管理システム５０は、指定された一以上の端末１０が参加できる通信の設定に係る情報を記憶する。
【００２７】
また、図１に示されている複数のルータ（７０ａ，７０ｂ，７０ｃ，７０ｄ，７０ａｂ，７０ｃｄ）は、画像データ及び音声データの最適な経路の選択を行う。なお、本実施形態では、ルータ（７０ａ，７０ｂ，７０ｃ，７０ｄ，７０ａｂ，７０ｃｄ）のうち任意のルータを示す場合には「ルータ７０」を用いる。
【００２８】
プログラム提供システム９０は、端末１０に各種機能又は各種手段を実現させるための端末用プログラムが記憶された、ＨＤ（Ｈａｒｄ  Ｄｉｓｋ）を備えており、端末１０に、端末用プログラムを送信することができる。また、プログラム提供システム９０のＨＤには、中継装置３０に各種機能又は各種手段を実現させるための中継装置用プログラムも記憶されており、中継装置３０に、中継装置用プログラムを送信することができる。更に、プログラム提供システム９０のＨＤには、管理システム５０に各種機能又は各種手段を実現させるための伝送管理用プログラムも記憶されており、管理システム５０に、伝送管理用プログラムを送信することができる。
【００２９】
メンテナンスシステム１００は、端末１０、中継装置３０、管理システム５０、及びプログラム提供システム９０のうちの少なくとも１つの維持、管理、又は保守を行うためのコンピュータである。例えば、メンテナンスシステム１００が国内に設置され、端末１０、中継装置３０、管理システム５０、又はプログラム提供システム９０が国外に設置されている場合、メンテナンスシステム１００は、通信ネットワーク２を介して遠隔的に、端末１０、中継装置３０、管理システム５０、及びプログラム提供システム９０のうちの少なくとも１つの維持、管理、保守等のメンテナンスを行う。また、メンテナンスシステム１００は、通信ネットワーク２を介さずに、端末１０、中継装置３０、管理システム５０、及びプログラム提供システム９０のうちの少なくとも１つにおける機種番号、製造番号、販売先、保守点検、又は故障履歴の管理等のメンテナンスを行う。
【００３０】
また、端末（１０ａａ，１０ａｂ，１０ａｃ，１０ａ…）、中継装置３０ａ、及びルータ７０ａは、ＬＡＮ２ａによって通信可能に接続されている。端末（１０ｂａ，１０ｂｂ，１０ｂｃ，１０ｂ…）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。
【００３１】
一方、端末（１０ｃａ，１０ｃｂ，１０ｃｃ，１０ｃ…）、中継装置３０ｃ、及びルータ７０ｃは、ＬＡＮ２ｃによって通信可能に接続されている。端末（１０ｄａ，１０ｄｂ，１０ｄｃ，１０ｄ…）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。
【００３２】
端末（１０ｅ１，１０ｅ２，・・・）は、インターネット２ｉを介して、通信可能に接続されている。
【００３３】
また、管理システム５０、及びプログラム提供システム９０は、インターネット２ｉを介して、端末１０、及び中継装置３０と通信可能に接続されている。管理システム５０、及びプログラム提供システム９０は、地域Ａ又は地域Ｂに設置されていてもよいし、これら以外の地域に設置されていてもよい。
【００３４】
また、中継装置３０ｅは、通信ネットワーク２を介して伝送システム１の全ての端末１０と通信可能に接続されている。この中継装置３０ｅは、常時稼動しており、地域Ａ又は地域Ｂのローカルエリア内の通信量の影響を受けにくくするために、これら以外の地域に設置されている。これにより、端末１０が他のローカルエリアに設置された端末と通話する場合に、通話データを中継するための中継装置として中継装置３０ｅが用いられる。また、同一のローカルエリアの端末間で通話を行う際に、このローカルエリアに設置された中継装置が稼動していない場合にも、緊急用の中継装置として中継装置３０ｅが用いられる。
【００３５】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、本実施形態の通信ネットワーク２が構築されている。この通信ネットワーク２には、有線だけでなく無線による通信が行われる箇所があってもよい。
【００３６】
また、図２において、各端末１０、各中継装置３０、管理システム５０、各ルータ７０、プログラム提供システム９０、及びメンテナンスシステム１００の下に示されている４組の数字は、一般的なＩＰｖ４におけるＩＰアドレスを簡易的に示している。例えば、端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００３７】
＜ハードウェア構成＞
<<端末のハードウェア構成>>
図３は、本発明の一実施形態に係る端末１０のハードウェア構成図である。図３に示されているように、本実施形態の端末１０は、端末１０全体の動作を制御するＣＰＵ（Ｃｅｎｔｒａｌ  Ｐｒｏｃｅｓｓｉｎｇ  Ｕｎｉｔ）１０１、端末用プログラムを記憶したＲＯＭ（Ｒｅａｄ  Ｏｎｌｙ  Ｍｅｍｏｒｙ）１０２を有する。また、ＣＰＵ１０１のワークエリアとして使用されるＲＡＭ（Ｒａｎｄｏｍ  Ａｃｃｅｓｓ  Ｍｅｍｏｒｙ）１０３、画像データや音声データ等の各種データを記憶するフラッシュメモリ１０４、ＣＰＵ１０１の制御にしたがってフラッシュメモリ１０４に対する各種データの読み出し又は書き込みを制御するＳＳＤ（Ｓｏｌｉｄ  Ｓｔａｔｅ  Ｄｒｉｖｅ）１０５を有する。また、フラッシュメモリ等の記録メディア１０６に対するデータの読み出し又は書き込み（記憶）を制御するメディアドライブ１０７、端末１０の宛先を選択する場合などに操作される操作ボタン１０８、端末１０の電源のＯＮ／ＯＦＦを切り換えるための電源スイッチ１０９、通信ネットワーク２を利用してデータ伝送をするためのネットワークＩ／Ｆ（Ｉｎｔｅｒｆａｃｅ）１１１を備えている。
【００３８】
また、端末１０は、ＣＰＵ１０１の制御にしたがって被写体を撮像して画像を得る内蔵型のカメラ１１２ａ、このカメラ１１２ａの駆動を制御する撮像素子Ｉ／Ｆ１１３、音声を出力する内蔵型のスピーカ１１５ａ、ＣＰＵ１０１の制御にしたがってマイク１１４ａ及びスピーカ１１５ａとの間で音声信号の入出力を処理する音声入出力Ｉ／Ｆ１１６を有す。また、ＣＰＵ１０１の制御にしたがって外付けのディスプレイ１２０に画像データを伝送するディスプレイＩ／Ｆ１１７、各種の外部機器を接続するための外部機器接続Ｉ／Ｆ１１８を有する。また、端末１０の各種機能の異常を知らせるアラームランプ１１９、及び上記各構成要素を電気的に接続するためのアドレスバスやデータバス等のバスライン１１０を備えている。
【００３９】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）やＤＶＩ（Ｄｉｇｉｔａｌ  Ｖｉｄｅｏ  Ｉｎｔｅｒａｃｔｉｖｅ）信号用のケーブルであってもよい。
【００４０】
カメラ１１２ａは、レンズや、光を電荷に変換して被写体の画像（映像）を電子化する固体撮像素子を含み、固体撮像素子として、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）等が用いられる。
【００４１】
外部機器接続Ｉ／Ｆ１１８には、ＵＳＢ（Ｕｎｉｖｅｒｓａｌ  Ｓｅｒｉａｌ  Ｂｕｓ）ケーブル等によって、外付けカメラ１１２ｂ、外付けマイク１１４ｂ、及び外付けスピーカ１１５ｂ等の外部機器がそれぞれ接続可能である。
【００４２】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いてもよい。
【００４３】
更に、上記端末用プログラムは、インストール可能な形式又は実行可能な形式のファイルで、上記記録メディア１０６等の、コンピュータで読み取り可能な記録媒体に記録して流通させるようにしてもよい。
【００４４】
<<管理システム>>
図４は、本発明の一実施形態に係る管理システムのハードウェア構成図である。管理システム５０は、管理システム５０全体の動作を制御するＣＰＵ２０１、伝送管理用プログラムを記憶したＲＯＭ２０２、ＣＰＵ２０１のワークエリアとして使用されるＲＡＭ２０３、各種データを記憶するＨＤ（Ｈａｒｄ  Ｄｉｓｋ）２０４を有する。また、ＣＰＵ２０１の制御にしたがってＨＤ２０４に対する各種データの読み出し又は書き込みを制御するＨＤＤ（Ｈａｒｄ  Ｄｉｓｋ  Ｄｒｉｖｅ）２０５、フラッシュメモリ等の記録メディア２０６に対するデータの読み出し又は書き込み（記憶）を制御するメディアドライブ２０７を有する。また、カーソル、メニュー、ウィンドウ、文字、又は画像などの各種情報を表示するディスプレイ２０８、通信ネットワーク２を利用してデータ伝送をするためのネットワークＩ／Ｆ２０９、文字、数値、各種指示などの入力のための複数のキーを備えたキーボード２１１、各種指示の選択や実行、処理対象の選択、カーソルの移動などを行うマウス２１２を有する。着脱可能な記録媒体の一例としてのＣＤ−ＲＯＭ（Ｃｏｍｐａｃｔ  Ｄｉｓｃ  Ｒｅａｄ  Ｏｎｌｙ  Ｍｅｍｏｒｙ）２１３に対するデータの読み出し又は書き込みを制御するＣＤ−ＲＯＭドライブ２１４、及び、上記各構成要素を図４に示されているように電気的に接続するためのアドレスバスやデータバス等のバスライン２１０を備えている。
【００４５】
なお、上記伝送管理用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００４６】
また、中継装置３０は、上記管理システム５０と同様のハードウェア構成を有しているため、その説明を省略する。但し、ＲＯＭ２０２には、中継装置３０を制御するための中継装置用プログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００４７】
更に、プログラム提供システム９０は、上記管理システム５０と同様のハードウェア構成を有しているため、その説明を省略する。但し、ＲＯＭ２０２には、プログラム提供システム９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００４８】
また、メンテナンスシステム１００は、上記管理システム５０と同様のハードウェア構成を有しているため、その説明を省略する。但し、ＲＯＭ２０２には、メンテナンスシステム１００を制御するためのメンテナンス用プログラムが記録されている。この場合も、メンテナンス用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００４９】
なお、上記着脱可能な記録媒体の他の例として、ＣＤ−Ｒ（Ｃｏｍｐａｃｔ  Ｄｉｓｃ  Ｒｅｃｏｒｄａｂｌｅ）、ＤＶＤ（Ｄｉｇｉｔａｌ  Ｖｅｒｓａｔｉｌｅ  Ｄｉｓｋ）、ブルーレイディスク等のコンピュータで読み取り可能な記録媒体に記録して提供するように構成してもよい。
【００５０】
＜＜実施形態の機能構成＞＞
次に、本実施形態の機能構成について説明する。図５は、本実施形態の伝送システム１を構成する各端末、装置及びシステムの機能ブロック図である。図５では、端末１０、中継装置３０、及び管理システム５０が、通信ネットワーク２を介してデータ通信することができるように接続されている。また、図２に示されているプログラム提供システム９０、及びメンテナンスシステム１００は、テレビ会議の通信において直接関係ないため、図５では省略されている。
【００５１】
＜端末の機能構成＞
端末１０は、送受信部１１、操作入力受付部１２、ログイン要求部１３、撮像部１４ａ、撮像部１４ｂ、音声入力部１５ａ、音声入力部１５ｂ、音声出力部１６ａ、音声出力部１６ｂ、表示制御部１７、記憶・読出処理部１８、セッション制御部１９、及び宛先リスト作成部２０を有している。これら各部は、図３に示されている各構成要素のいずれかが、ＲＯＭ１０２に記憶されているプログラムに従ったＣＰＵ１０１からの命令によって動作することで実現される機能又は手段である。また、端末１０は、図３に示されているＲＡＭ１０３によって構築される揮発性記憶部１１００、及び図３に示されているフラッシュメモリ１０４によって構築される不揮発性記憶部１０００を有している。
【００５２】
＜端末の各機能部＞
次に、端末の各部を詳細に説明する。送受信部１１は、図３に示されているネットワークＩ／Ｆ１１１によって実現され、通信ネットワーク２を介して他の端末、装置又はシステムと各種データの送受信を行う。この送受信部１１は、所望の宛先端末と通話を開始する前から、管理システム５０より、宛先候補としての各端末の状態を示す各状態情報の受信を開始する。なお、この状態情報は、各端末１０の稼動状態（ＯＮラインかＯＦＦラインかの状態）だけでなく、ＯＮラインであっても更に通話中であるか、待受け中であるか等の詳細な状態を示す。また、この状態情報は、各端末１０の稼動状態だけでなく、端末１０でケーブルが端末１０から外れていたり、音声を出力するが画像は出力させなかったり、音声を出力さないようにする（ＭＵＴＥ）等、様々な状態を示す。以下では、一例として、状態情報が稼動状態を示す場合について説明する。
【００５３】
送受信部１１が、通信ネットワーク２を介して他の端末、装置又はシステムと送受信する各種データの例について説明する。例えば、送受信部１１は、ユーザが宛先端末を指定して通信を開始するときに、開始要求情報を管理システム５０に送信する。開始要求情報には、通常発信による開始要求情報、及び入室発信（配信）による開始要求情報がある。
【００５４】
通常発信による開始要求情報は、任意の端末１０が参加可能な通信（以下、「通話用の通信」という。）の開始を要求する場合に送信する情報である。通常発信による開始要求情報は、要求元端末を識別するための通信ＩＤ、宛先端末を識別するための通信ＩＤ、及び通話用の通信による通話の開始を要求する旨を示す情報「Ｉｎｖｉｔｅ」を含む。
【００５５】
入室発信による開始要求情報は、予め指定された一以上の端末１０が参加可能な通信（以下、「配信用の通信」という。）により行う会議の開始を要求する場合に送信する情報である。入室発信による開始要求情報は、要求元端末を識別するための通信ＩＤ、宛先端末を識別するための通信ＩＤ、及び配信用の通信による通話の開始を要求する旨を示す情報「Ｉｎｖｉｔｅ＋Ｒｏｏｍ」を含む。配信用の通信により行う会議は、会議室ＩＤによって識別される。なお、入室発信による開始要求情報に、通信ＩＤではなく会議室ＩＤを含めることにより、入室発信による開始要求情報から配信用の通信を識別できるようにしてもよい。これにより、管理システム５０の後述の会議管理部５９が、宛先端末の通信ＩＤを検索キーにして、後述の入室管理ＤＢ５００７の通信ＩＤを検索し、検索されたレコードの会議室ＩＤを取得することにより通信に使用する会議室を特定する処理を省略できる。
【００５６】
送受信部１１は、開始要求情報を管理システム５０に送信した後に、通信を識別するためのセッションＩＤ及び中継装置接続情報を管理システム５０から受信する。中継装置接続情報は、通信に使用する中継装置３０に接続するために必要な情報（中継装置３０のＩＰアドレス、ポート番号、及び中継装置３０の接続に必要な認証情報等）である。
【００５７】
また、送受信部１１は、管理システム５０から開始応答情報を受信する。開始応答情報は、宛先端末と通信可能であるか否かを示す情報である。開始応答情報は、宛先端末の通信ＩＤ、当該通信の開始の許可（Ａｃｃｅｐｔ）又は拒否（Ｒｅｊｅｃｔ）を示す情報、及び当該通信を識別するためのセッションＩＤを含む。送受信部１１は、管理システム５０から受信した開始応答情報が、宛先端末と通信可能であることを示す場合、当該通信のセッションＩＤ及び中継装置接続情報を中継装置３０に送信する。
【００５８】
また、送受信部１１は、後述する会議室一覧画像（図８（ｃ）参照）からユーザが会議室（会議室名）を選択して通信を開始するときに、入室要求を管理システム５０に送信する。入室要求は、要求元端末の通信ＩＤ、配信用の通信による通話の開始を要求する旨を示す情報「Ｉｎｖｉｔｅ＋Ｒｏｏｍ」、及び当該会議室の会議室ＩＤを含む。
【００５９】
操作入力受付部１２は、図３に示されている操作ボタン１０８、及び電源スイッチ１０９によって実現され、ユーザによる各種入力を受け付ける。例えば、ユーザが、図３に示されている電源スイッチ１０９をＯＮにすると、図５に示されている操作入力受付部１２が電源ＯＮを受け付けて、電源をＯＮにする。また、操作入力受付部１２は、宛先端末が一覧表示された画面から宛先端末を選択する操作入力を受け付けた場合に、入室発信による開始要求情報、又は通常発信による開始要求情報を、管理システム５０に送信することを送受信部１１に依頼する。また、操作入力受付部１２は、後述する会議室一覧画像（図８（ｃ）参照）から会議室を選択する操作入力を受け付けた場合に、入室要求を管理システム５０に送信することを送受信部１１に依頼する。
【００６０】
ログイン要求部１３は、図３に示されているＣＰＵ１０１からの命令によって実現され、上記電源ＯＮの受け付けを契機として、送受信部１１から通信ネットワーク２を介して管理システム５０に、認証（ログイン）を要求する旨を示すログイン要求情報、及び要求元としての端末１０の現時点のＩＰアドレスを自動的に送信する。ログイン要求情報は、要求元としての自端末である端末１０を識別するための通信ＩＤ、及び伝送システム１にログインするためのパスワードを含む。また、ユーザが電源スイッチ１０９をＯＮの状態からＯＦＦにすると、送受信部１１は、管理システム５０へ、電源をＯＦＦする旨の状態情報を送信してから、操作入力受付部１２が電源を完全にＯＦＦにする。これにより、管理システム５０側では、端末１０が電源ＯＮから電源ＯＦＦになったことを把握することができる。
【００６１】
撮像部１４ａは、図３に示されているＣＰＵ１０１からの命令、並びに図３に示されているカメラ１１２ａ、及び撮像素子Ｉ／Ｆ１１３によって実現され、被写体を撮像して、この撮像して得た画像データを出力する。音声入力部１５ａは、図３に示されている音声入出力Ｉ／Ｆ１１６によって実現され、マイク１１４ａによってユーザの音声が音声信号に変換された後、この音声信号に係る音声データを入力する。音声出力部１６ａは、図３に示されているＣＰＵ１０１からの命令、並びに図３に示されている音声入出力Ｉ／Ｆ１１６によって実現され、音声データに係る音声信号をスピーカ１１５ａに出力し、スピーカ１１５ａから音声を出力させる。
【００６２】
撮像部１４ｂは、図３に示されているＣＰＵ１０１からの命令、並びに図３に示されている外付けカメラ１１２ｂによって実現され、被写体を撮像して、この撮像して得た画像データを出力する。音声入力部１５ｂは、外付けマイク１１４ｂにてユーザの音声が音声信号に変換された後、この音声信号に係る音声データを入力する。音声出力部１６ｂは、図３に示されているＣＰＵ１０１からの命令によって実現され、音声データに係る音声信号を外付けスピーカ１１５ｂに出力し、外付けスピーカ１１５ｂから音声を出力させる。
【００６３】
表示制御部１７は、図３に示されているＣＰＵ１０１からの命令によって実現され、外付けのディスプレイ１２０に画像データを表示するための制御を行う。例えば、表示制御部１７は、宛先端末が一覧表示された画面や後述の会議室一覧画像（図８（ｃ）参照）などをディスプレイ１２０に表示する制御を行う。
【００６４】
また、記憶・読出処理部１８は、図３に示されているＣＰＵ１０１からの命令、並びに一例として図３に示すＳＳＤ１０５によって実行され、不揮発性記憶部１０００に各種データを記憶したり、不揮発性記憶部１０００に記憶された各種データを読み出す処理を行う。この不揮発性記憶部１０００には、端末１０を識別するための通信ＩＤ（Ｉｄｅｎｔｉｆｉｃａｔｉｏｎ）、及びパスワード等が記憶される。更に、記憶・読出処理部１８は、揮発性記憶部１１００に各種データを記憶したり、揮発性記憶部１１００に記憶された各種データを読み出す処理も行う。この揮発性記憶部１１００には、宛先端末との通話を行う際に受信される画像データ及び音声データが、受信される度に上書き記憶される。このうち、上書きされる前の画像データによってディスプレイ１２０に画像が表示され、上書きされる前の音声データによってスピーカ１１５ａから音声が出力される。
【００６５】
セッション制御部１９は、他の端末１０との間の通話を行う通話用のセッション（「第１のセッション」の一例）と、音声データを、他の複数の端末１０に伝送する配信用のセッション（「第２のセッション」の一例）を接続する。
【００６６】
セッション制御部１９は、配信用のセッションが接続している間に、通話用のセッションの接続をする場合、配信用のセッションにおける音声データの伝送を停止する。例えば、セッションの状態と、当該セッションの種別を記憶しておき、配信用のセッションが接続している間に、通話用のセッションの接続をすることを検知した場合、又は管理システム５０からの音声の配信停止要求を受信した場合に、配信用のマイクをミュートする、又は配信用のセッションから音声データを除外する。それにより、ハウリングを防ぐと共に、プライベートな通話の内容が配信を受けている端末１０のユーザに漏えいすることを防ぐことができる。
【００６７】
セッション制御部１９は、通話用のセッションを接続できない場合、又は通話用のセッションの宛先の端末１０からの録画要求を受信した場合、映像、音声等のコンテンツデータを記録し、記録したコンテンツデータを、管理システム５０を介して、当該通話用のセッションの宛先の端末１０へ伝送する。
【００６８】
セッション制御部１９は、配信用のセッションに接続し、コンテンツの配信を受けている間に、通話用のセッションの接続要求を受信し、ユーザからの応答操作等に基づいて応答する際、又は管理システム５０から配信用のセッションからの離脱（退出）を要求された場合に、配信用のセッションから離脱する。
【００６９】
なお、本実施形態の通信ＩＤ、及び後述の中継装置ＩＤは、それぞれ端末１０、及び中継装置３０を一意に識別するための識別情報である。識別情報は、言語、文字、記号、又は各種のしるし等である。また、通信ＩＤ、及び中継装置ＩＤは、上記言語、文字、記号、及び各種のしるしのうち、少なくとも２つが組み合わされた識別情報であってもよい。なお、セッションＩＤ及び会議室ＩＤについても同様である。
【００７０】
宛先リスト作成部２０は、後述する「複数セッション許可フラグ」の情報、宛先リスト情報、状態情報及び会議室存在情報に基づいて宛先リスト（宛先端末状態一覧情報）を作成する。
【００７１】
宛先リスト作成部２０は、宛先リストにおいて、着信ができない稼動状態の宛先の端末１０に対しては、発信ができないことを示す情報を表示させる。例えば、宛先リスト作成部２０は、稼動状態が「ＯＮライン（通話中）」、「ＯＦＦライン」である端末１０に発信するボタンは押下できないようにリストを作成する。一方、稼動状態が「ＯＮライン（通話可能）」、「ＯＮライン（伝送中）」である端末１０に発信するボタンは押下できるようにリストを作成する。
【００７２】
宛先リスト作成部２０は、端末１０が複数のセッションを並行して接続できない場合であり、かつ、端末１０が配信用のセッション又は通話用のセッションを接続している場合は、宛先リストにおいて、宛先の各端末１０への発信ができないことを示す情報を表示させる。具体的には、管理システム５０から通知された「複数セッション許可フラグ」の情報がオンでない場合に、端末１０が複数のセッションを並行して接続できない場合であると判定する。
【００７３】
宛先リスト作成部２０は、表示制御部１７を用いて、作成した宛先リストを画面に表示させる。
【００７４】
＜管理システムの機能構成＞
次に、管理システム５０の機能又は手段について説明する。まず、管理システム５０に記憶されている情報について説明する。管理システム５０は、図４に示されているＨＤ２０４により構築され、管理システム５０の電源をＯＦＦにしても各種データや情報の記憶が維持される不揮発性記憶部５０００を有している。更に、管理システム５０は、図４に示されているＲＡＭ２０３によって構築される揮発性記憶部５１００を有している。
【００７５】
【表１】
2017143443.tif 000003
不揮発性記憶部５０００には、表１に示されているような中継装置管理テーブルによって構成されている中継装置管理ＤＢ５００１が構築されている。この中継装置管理テーブルでは、各中継装置３０の中継装置ＩＤ毎に、各中継装置３０の稼動状態、稼動状態が示される状態情報が管理システム５０で受信された受信日時、中継装置３０のＩＰアドレス、及び中継装置３０における最大データ伝送速度（Ｍｂｐｓ）が関連付けられて管理される。例えば、表１に示されている中継装置管理テーブルにおいて、中継装置ＩＤが「１１１ａ」の中継装置３０ａは、稼動状態が「ＯＮライン」で、管理システム５０で状態情報が受信された日時が「２００９年１１月１０日の１３時００分」で、この中継装置３０ａのＩＰアドレスが「１．２．１．２」で、この中継装置３０ａにおける最大データ伝送速度が１００Ｍｂｐｓであることが示されている。
【００７６】
【表２】
2017143443.tif 000004
更に、不揮発性記憶部５０００には、表２に示されているような端末認証管理テーブルによって構成されている端末認証管理ＤＢ５００２が構築されている。この端末認証管理テーブルでは、管理システム５０によって管理される全ての端末１０の通信ＩＤ毎に、伝送システム１にログインするためのパスワードが関連付けられて管理される。例えば、表２に示されている端末認証管理テーブルにおいて、端末１０ａａの通信ＩＤは「０１ａａ」で、パスワードは「ａａａａ」であることが示されている。端末認証管理テーブルの情報は、ユーザや管理システム５０の管理者が予め登録しておく。
【００７７】
【表３】
2017143443.tif 000005
また、不揮発性記憶部５０００には、表３に示されているような端末管理テーブルによって構成されている端末管理ＤＢ５００３が構築されている。この端末管理テーブルでは、各端末１０の通信ＩＤ毎に、各端末１０を宛先とした場合の端末名、各端末１０の稼動状態、ログイン要求情報が管理システム５０で受信された受信日時、端末１０のＩＰアドレス、複数のセッションを並行して接続できるか否かを示す情報である複数セッション許可フラグ、及び限外接続しているセッションの数であるセッション数が関連付けられて管理される。例えば、表３に示されている端末管理テーブルにおいて、通信ＩＤが「０１ａａ」の端末１０ａａは、端末名が「ＡＡ保育園  ＡＡ端末」で、稼動状態が「ＯＮライン（通話可能）」で、管理システム５０でログイン要求情報が受信された日時が「２００９年１１月１０日の１３時４０分」で、この端末１０ａａのＩＰアドレスが「１．２．１．３」であることが示されている。
【００７８】
【表４】
2017143443.tif 000006
更に、不揮発性記憶部５０００には、表４に示されているような宛先リスト管理テーブルによって構成されている宛先リスト管理ＤＢ５００４が構築されている。この宛先リスト管理テーブルでは、要求元端末の通信ＩＤ毎に宛先端末の通信ＩＤが関連付けられて管理される。要求元端末の通信ＩＤは、通話の開始を要求する要求元端末を識別するための情報である。宛先端末の通信ＩＤは、通話の開始を要求する要求元端末の通信の宛先端末の候補となる宛先端末を識別するための情報である。この宛先端末の候補は、要求元端末から管理システム５０に対する追加又は削除の要請により、追加又は削除されることで更新される。例えば、表４に示されている宛先リスト管理テーブルにおいて、通信ＩＤが「０１ａａ」である要求元端末（端末１０ａａ）からテレビ会議における通話の開始を要求することができる宛先端末の候補は、通信ＩＤが「０１ａｂ」の端末１０ａｂ、通信ＩＤが「０１ｂａ」の端末１０ｂａ、及び通信ＩＤが「０１ｂｂ」の端末１０ｂｂ、通信ＩＤが「０１ｃａ」の端末１０ｃａ及び通信ＩＤが「０１ｄｂ」の端末１０ｄｂであることが示されている。
【００７９】
【表５】
2017143443.tif 000007
また、この不揮発性記憶部５０００には、表５に示されているようなセッション管理テーブルによって構成されているセッション管理ＤＢ５００５が構築されている。このセッション管理テーブルでは、端末間の通信を識別するためのセッションＩＤ毎に、画像データ及び音声データの中継に使用される中継装置３０の中継装置ＩＤ、要求元端末の通信ＩＤ及び宛先端末の通信ＩＤが関連付けられて管理される。例えば、表５に示されているセッション管理テーブルにおいて、セッションＩＤ「ｓｅ１」を用いて実行されたセッションで選択された中継装置３０ｅ（中継装置ＩＤ「１１１ｅ」）は、通信ＩＤが「０１ａａ」の要求元端末（端末１０ａａ）の画像データ及び音声データを配信していることが示されている。また、セッションＩＤ「ｓｅ２」を用いて実行されたセッションで選択された中継装置３０ｅ（中継装置ＩＤ「１１１ｅ」）は、通信ＩＤが「０１ａａ」の要求元端末（端末１０ａａ）と、通信ＩＤが「０１ａｂ」の宛先端末（端末１０ａｂ）との間で、画像データ及び音声データを中継していることが示されている。
【００８０】
【表６】
2017143443.tif 000008
更に、不揮発性記憶部５０００には、表６に示されているような中継装置選択管理テーブルによって構成されている中継装置選択管理ＤＢ５００６が構築されている。この品質管理テーブルでは、管理システム５０によって管理される全ての端末１０の各通信ＩＤに対して、画像データ及び音声データの中継に使用される中継装置３０の中継装置ＩＤが関連付けられて管理される。
【００８１】
【表７】
2017143443.tif 000009
更に、不揮発性記憶部５０００には、表７に示されているような入室管理テーブルによって構成されている入室管理ＤＢ５００７が構築されている。この入室管理テーブルは、指定された一以上の端末１０が参加できる配信用の通信により行う会議（配信）毎に、会議を識別するための会議室ＩＤと、指定された一以上の端末１０の通信ＩＤとが関連付けて記憶される。なお、表７の例では、会議室ＩＤ「１」では、先頭の端末（通信ＩＤ「０１ａａ」）からのコンテンツデータが、他の端末（通信ＩＤ「０１ａｂ」、「０１ｂｂ」、「０１ｃａ」、・・・）に配信されていることを示している。
【００８２】
【表８】
2017143443.tif 000010
更に、不揮発性記憶部５０００には、表８に示されているような会議室管理テーブルによって構成されている会議室管理ＤＢ５００８が構築されている。この会議室管理テーブルは、指定された一以上の端末１０が参加できる配信用の通信により行う会議毎に、会議を識別するための会議室ＩＤと、会議室名と、当該会議室ＩＤにより識別される配信用の通信のセッションＩＤとが関連付けて記憶される。会議室ＩＤは、仮想的に作成された会議室又は開催される会議を識別するための会議識別情報である。
【００８３】
【表９】
2017143443.tif 000011
更に、不揮発性記憶部５０００には、表９に示されているようなゲスト入室管理テーブルによって構成されているゲスト入室管理ＤＢ５００９が構築されている。ゲスト入室管理テーブルでは会議室へのゲストの入退室が管理される。このゲスト入室管理テーブルは、会議を識別するための会議室ＩＤと、通信ＩＤと、有効期間と、関連通信ＩＤと、関係と、承認の各フィールドを有している。会議室ＩＤは会議室管理テーブルと同じものである。通信ＩＤはゲストの通信ＩＤである。有効期間はゲストの通信ＩＤが使用可能な（管理システム５０にログインできる）期間である。ゲストの通信ＩＤがａｂａｂの有効期間は、2015年度にゲストの通信ＩＤが登録されて、2016年度の延長が申請された例である（有効期間の7/30、10/10のように年度がない場合は現在の年度を示す）。次の年度が登録されていないゲストの通信ＩＤは、次の年度になった際にゲスト入室管理テーブルから管理システム５０が削除する。関連通信ＩＤは、ゲストの通信ＩＤに対応付けられているマスターの通信ＩＤである。関係は、ゲストがマスターとどのような関係であるかを示す。承認は、ゲストの入室がマスターにより承認されたか否かが登録される。承認には○か×が登録される。○はゲストが映像を閲覧することをマスターが承認したことを示す。あるいは、マスターも同じ映像を閲覧している場合に○が登録される。×はゲストが映像を閲覧することをマスターが承認してないことを示す。承認の有効期間は承認された日中である（例えば、7/30 AM10:00に承認された場合は7/30 PM11:59まで○のままとなる）。ゲスト入室管理テーブルの１レコードは、マスターが図６のようなユーザインタフェースから登録することができる。
【００８４】
なお、園児の退園などで保護者の通信ＩＤが宛先リストテーブルや端末管理テーブルから削除されると、削除された通信ＩＤを関連通信ＩＤとするレコードをゲスト入室管理ＤＢ５００９から管理システム５０が削除する。これにより、園児の退園時にゲストの情報を保護者や保育園などが逐次削除する手間を省略できる。
【００８５】
（管理システムの各機能部）
次に、管理システム５０の各機能部について詳細に説明する。なお、以下では、管理システム５０の各部を説明するにあたって、図４に示されている各構成要素のうち、管理システム５０の各部を実現させるための主な構成要素との関係も説明する。管理システム５０は、送受信部５１、端末認証部５２、状態管理部５３、端末抽出部５４、端末状態取得部５５、中継装置選択部５６、セッション管理部５７、セッション制御部５８、会議管理部５９、記憶・読出処理部６０、判定部６１及び通知部６２を有している。これら各部は、図４に示されている各構成要素のいずれかが、ＲＯＭ２０２に記憶されているプログラムに従ったＣＰＵ２０１からの命令によって動作することで実現される機能又は手段である。
【００８６】
送受信部５１は、図４に示されているネットワークＩ／Ｆ２０９によって実行され、通信ネットワーク２を介して他の端末、装置又はシステムと各種データの送受信を行う。
【００８７】
例えば、送受信部５１は、宛先端末が一覧表示された画面から端末１０のユーザが宛先端末を指定して通信を開始するときに、入室発信による開始要求情報又は通常発信による開始要求情報を端末１０から受信する。
【００８８】
また、送受信部５１は、端末１０から開始要求情報を受信した後に、通信を識別するためのセッションＩＤ及び中継装置接続情報を当該端末１０に送信する。
【００８９】
また、送受信部５１は、通信の要求元の端末１０から開始要求情報を受信した後に、当該通信の宛先の端末１０に、当該開始要求情報、中継装置接続情報、及び管理システム５０のＩＰアドレスを送信する。
【００９０】
また、送受信部５１は、通信の宛先の端末１０から開始応答情報を受信した後に、通信の要求元の端末１０に当該開始応答情報を送信する。
【００９１】
端末認証部５２は、送受信部５１を介して受信されたログイン要求情報に含まれている通信ＩＤ及びパスワードを検索キーとし、不揮発性記憶部５０００の端末認証管理テーブルを検索し、端末認証管理テーブルに同一の通信ＩＤ及びパスワードが管理されているかを判定することによって端末認証を行う。
【００９２】
状態管理部５３は、ログイン要求してきた要求元端末の稼動状態を管理すべく、端末管理テーブルに、この要求元端末の通信ＩＤ、要求元端末の端末名、要求元端末の稼動状態、管理システム５０がログイン要求情報を受信した受信日時、及び要求元端末のＩＰアドレスを関連付けて記憶して管理する。
【００９３】
このうち、状態管理部５３は、端末１０の状態が変更されたことを示す情報を端末１０から受信した場合に、端末管理テーブルの当該端末１０の状態情報を設定（変更）する。例えば、端末１０のユーザが端末１０の電源スイッチ１０９をＯＦＦの状態からＯＮにすると、当該端末１０は、電源をＯＮにする旨の状態情報を管理システム５０に送信する。状態管理部５３は、送受信部５１を介して当該状態情報を受信したときに、端末管理テーブルの当該端末１０の稼動状態を「ＯＦＦライン」から「ＯＮライン（通話可能）」に変更する。また、ユーザが端末１０の電源スイッチ１０９をＯＮの状態からＯＦＦにすると、当該端末１０は、電源をＯＦＦにする旨の状態情報を管理システム５０に送信する。状態管理部５３は、送受信部５１を介して当該状態情報を受信したときに、端末管理テーブルの当該端末１０の稼動状態を「ＯＮライン（通話可能）」から「ＯＦＦライン」に変更する。
【００９４】
状態管理部５３は、端末１０の状態が変更されたことを示す情報を端末１０から受信した場合、当該端末１０を宛先とする他の各端末１０に、変更後の稼動状態を通知する。それにより、当該他の各端末１０にて表示される宛先端末が一覧表示された画面において、状態が変更された端末１０の稼動状態の表示が更新される。
【００９５】
具体的には、状態管理部５３は、状態が変更された端末１０の通信ＩＤを検索キーとして、宛先リスト管理テーブルの宛先端末の通信ＩＤを検索し、状態が変更された端末１０を宛先とする他の各端末１０を抽出する。そして、抽出した他の各端末１０に、状態が変更された端末１０の稼動状態を通知する。
【００９６】
端末抽出部５４は、ログイン要求した要求元端末の通信ＩＤを検索キーとして、宛先リスト管理テーブルの要求元端末の通信ＩＤを検索し、検索されたレコードの宛先端末の通信ＩＤを抽出する。端末抽出部５４は、抽出した宛先端末の通信ＩＤにより識別される端末１０を、要求元端末と通話することができる宛先端末の候補として抽出する。
【００９７】
端末状態取得部５５は、端末抽出部５４によって抽出された宛先端末の候補の通信ＩＤ毎に、当該通信ＩＤを検索キーとして、端末管理テーブルの通信ＩＤを検索し、検索されたレコードの稼動状態を読み出す。これにより、端末状態取得部５５は、ログイン要求してきた要求元端末と通話することができる宛先端末の候補の稼動状態を取得することができる。
【００９８】
中継装置選択部５６は、端末間で通話データが通信されるセッションを識別するためのセッションＩＤを生成する。中継装置選択部５６は、要求元端末から送られてきた開始要求情報に含まれている要求元端末の通信ＩＤ、及び宛先端末の通信ＩＤに基づいて、中継装置選択管理テーブルを検索することにより、対応するそれぞれの中継装置ＩＤを抽出する。中継装置選択部５６は、中継装置管理テーブルで管理されている中継装置３０のうち、稼動状態が「ＯＮライン」となっている中継装置３０の中継装置ＩＤを選択することにより、中継装置３０の選択を行う。
【００９９】
セッション管理部５７は、一の端末からのコンテンツデータを他の１以上の端末に伝送する配信用のセッションと、複数の端末の間で双方向でコンテンツデータを伝送する通話用のセッションとを管理する。具体的には、セッション管理部５７は、不揮発性記憶部５０００のセッション管理テーブルに、セッションＩＤ生成部５６ａで生成されたセッションＩＤ、要求元端末の通信ＩＤ、及び宛先端末の通信ＩＤを関連付けて記憶して管理する。また、セッション管理部５７は、セッション管理テーブルに対して、セッションＩＤ毎に、選択された中継装置３０の中継装置ＩＤを記憶して管理する。また、セッション管理部５７は、会議室ＩＤにより識別される配信用の通信のセッションＩＤを、会議室管理テーブルの当該会議室ＩＤに関連付けて記憶する。
【０１００】
セッション制御部５８は、セッション管理処理を行う。このセッション管理処理において、セッション制御部５８は、端末１０が配信用のセッションを接続（確立）している間に、当該端末１０からの接続要求（発信）又は当該端末１０への接続要求（着信）があった場合、端末管理ＤＢ５００３が管理している情報に基づいて、当該接続要求を許可するか否かを判定する。セッション制御部５８は、許可すると判定した場合、宛先の端末１０へ、接続要求を転送する。許可しない場合、接続要求を拒否し、要求元の端末１０にエラーを返す。なお、セッション管理処理の詳細例は後述する。
【０１０１】
セッション制御部５８は、宛先の端末１０から接続要求への応答を受信した際、又は宛先の端末１０への接続要求を受信した際に、端末管理ＤＢ５００３が管理している情報に基づいて、宛先の端末１０が複数のセッションを並行して接続できるか判定する。セッション制御部５８は、宛先の端末１０が複数のセッションを並行して接続できない場合、宛先の端末１０が別のセッションに接続している場合は、当該宛先の端末１０を、当該別のセッションから離脱させる。なお、その場合、セッション制御部５８は、宛先の端末１０が別のセッションに接続している場合は、当該宛先の端末１０を、当該別のセッションから離脱させた後、当該宛先の端末１０に接続要求を転送する構成としてもよい。それにより、宛先の端末１０は、一のセッションの接続中に別のセッションに応答できる機能を有する必要がなくなるため、同時に複数のセッションを扱えない通常の端末１０を、宛先の端末１０として利用可能となる。
【０１０２】
セッション制御部５８は、配信元の端末１０が配信用のセッションが接続している間に、当該端末１０を通話用のセッションを接続（確立）する場合、当該配信用のセッションにおいて、当該端末１０からの音声データが伝送されているか判定する。そして、音声データが伝送されている場合、例えば、当該端末１０に、音声データの送信の停止を指示する、又は当該配信用のセッションにおいて当該端末１０から送信された音声データの破棄を中継装置３０に指示することにより、音声データの伝送を停止させる。その場合、セッション制御部５８は、当該配信用のセッションに接続している各端末１０に、例えば「現在、配信元が通話中のため、音声の配信は停止しております。」等の、音声データの伝送が停止している旨を音声又はメッセージで通知する。
【０１０３】
会議管理部５９は、不揮発性記憶部５０００の入室管理テーブルに、会議室ＩＤ、及び通信ＩＤを関連付けて記憶して管理する。また、会議管理部５９は、不揮発性記憶部５０００の会議室管理テーブルに、会議室ＩＤ、会議室名及びセッションＩＤを関連付けて記憶して管理する。
【０１０４】
会議管理部５９は、通信の要求元の端末１０から、送受信部５１を介して、会議室ＩＤにより識別される配信用の通信の開始を示す入室要求を受信する。入室要求は、要求元端末の通信ＩＤ及び入室する会議室を特定するための情報（会議室ＩＤ又は宛先端末の通信ＩＤ）を含む。会議管理部５９は、入室要求に含まれる会議室を特定するための情報から、入室する会議室の会議室ＩＤを特定し、入室要求に含まれる要求元の端末１０の通信ＩＤが当該会議室ＩＤに関連付けられているか否かを判定する。会議管理部５９は、関連付けられている場合、当該入室要求に係る配信用の通信のセッション管理処理をセッション管理部５７に依頼する。
【０１０５】
記憶・読出処理部６０（宛先端末情報管理部に相当）は、不揮発性記憶部５０００又は揮発性記憶部５１００に各種データを記憶したり、不揮発性記憶部５０００又は揮発性記憶部５１００に記憶された各種データを読み出す処理を行う。
【０１０６】
判定部６１は、ゲストの端末１０から入室要求があった場合、このゲストのマスターが映像を閲覧しているかどうか（換言すると会議室に入室しているかどうか）を判定する。また、判定部６１は、現在の日付がゲストの通信ＩＤが有効な有効期間に含まれるかどうかを判定する。
【０１０７】
通知部６２は、判定部６１の判定結果に応じた態様でマスターの端末１０に、ゲストが映像を閲覧しようとしていることを通知する。すなわち、マスターが映像を閲覧していないと判定部６１が判定した場合、ゲストの閲覧を承認するか拒否するかを問い合わせる承認要求をマスターの端末１０に送信し、閲覧していると判定部６１が判定した場合、ゲストが会議室に入室する旨をマスターの端末１０に送信する。この他、通知部６２は端末１０に対し各種の通知を行う。
【０１０８】
＜ゲスト入室管理テーブル＞
図６を用いてゲスト入室管理テーブルへの登録方法を説明する。図６（ａ）はゲスト入室管理テーブルへのゲストの登録時にマスターが操作する端末１０に表示される画面５１１の一例を示す。図６（ａ）の画面５１１は、マスターが端末を操作してマスターの通信ＩＤで管理システム５０にログインし、登録サイトに移動することで表示される。
【０１０９】
マスターの通信ＩＤ欄５１２は、マスターがマスターの通信ＩＤを入力する。あるいは、ログインにより自動的にマスターの通信ＩＤが表示される。マスターの通信ＩＤは、保育園側から配布されている通信ＩＤ（基本的には児童の両親が有するもの）である。有効期間欄５１３には、ゲストが保育園の映像を閲覧できる期間をマスターが設定する。図６（ｂ）に示すように、選択可能な期間がプルダウン等で表示されるので、マスターは選択するだけで有効期間を設定できる。マスターは特定のイベントを見たい日だけ選択することも、その年の全イベントを選択することもできる。また、任意の日を設定することもできる。
【０１１０】
関係欄５１４には、マスターとゲストの関係をマスターが入力する。これは、主に保育園側が、ゲストが誰であるか確認できるようにするためである。お持ちの通信ＩＤ欄５１５には、ゲストが既に通信ＩＤ（例えばゲストの）を入手している場合にマスターが該通信ＩＤを入力する。これにより、通信ＩＤを入手している人がゲストとして映像を閲覧できる。
【０１１１】
通信ＩＤ新規取得ボタン５１６は、ゲスト用の通信ＩＤの発行を端末が管理システムに要求するためのボタンである。少なくともマスターの通信ＩＤ欄、有効期間欄、関係欄の入力が必要である。有効期間追加ボタン５１８は、既に発行されているゲストの通信ＩＤの有効期間をマスターが追加するためのボタンである。少なくともマスターの通信ＩＤ欄５１２、有効期間欄５１３、お持ちの通信ＩＤ欄５１５の入力が必要である。マスターの通信ＩＤに紐付けボタン５１７は、既に持っている通信ＩＤをマスターの通信ＩＤに紐付けするためのボタンである。任意の通信ＩＤをゲストの通信ＩＤとして登録できる。マスターの通信ＩＤ欄５１２、有効期間欄５１３、関係欄５１４及びお持ちの通信ＩＤ欄５１５の入力が必要である。延長申請ボタン５１９は、一年間、ゲストの通信ＩＤの有効期間をマスターが延長するためのボタンである。ゲストの通信ＩＤは通信ＩＤが作成された年度終わりに抹消されるためである。
【０１１２】
＜＜実施形態の処理又は動作＞＞
まず、図７を参照して、実施形態における配信中に通話を行う場合の伝送システム１の動作の概要を説明する。図７は、配信中にユーザが通話を行う場合の伝送システム１のシーケンス図である。図７の例では、端末１０ａａ（保育園）から、端末１０ａｂ（保護者の端末）、１０ｂａ（保護者の端末）、・・へ、映像及び音声の少なくとも一方を配信し、配信をしている間に、端末１０ａａから端末１０ａｂへ発信し、通話を行う場合の例である。なお、図７の例では、説明を簡易にするため、管理システム５０と中継装置３０を一体として説明しているが、映像や音声等のコンテンツデータの伝送は、中継装置３０を介して行う。
【０１１３】
配信元の端末１０ａａは、管理システム５０に、所定の会議室ＩＤを指定して配信用のセッションの開始を要求する（ステップＳ１０１）。
【０１１４】
管理システム５０は、配信用のセッションを開始する（ステップＳ１０２）。配信用のセッションの確立方法は公知である。例えば、各端末が通信ＩＤとパスワードで認証を受け、管理システム５０が稼動状態を端末管理テーブルに登録する。宛先リスト管理テーブルで対応付けられた端末同士がセッションを開始できるので、他方の端末がセッションの接続を管理システム５０に要求すると、端末同士のセッションが確立する。これにより、セッション管理テーブルに１レコードが登録される。
【０１１５】
配信元の端末１０ａａは、配信用の会議室に入室し、配信用の映像、音声を送信する（ステップＳ１０３）。
【０１１６】
複数の配信先の端末１０ａｂ、１０ｂａ、・・は、所定の会議室ＩＤを指定して、管理システム５０の配信用のセッションに接続し（ステップＳ１０４−１、Ｓ１０４−２）、中継装置３０を介して、配信元の端末１０ａａからの配信用の映像、音声を受信する（ステップＳ１０５−１、Ｓ１０５−２）。
【０１１７】
端末１０ａａは、ユーザからの宛先を指定した通話接続操作に応じて、指定された宛先の端末１０ａｂへの接続要求（開始要求情報）を管理システム５０に送信する（ステップＳ１０６）。なお、通話接続操作の前に、ユーザからの宛先一覧を要求する操作を受け付け、管理システム５０から取得した宛先一覧の中から、宛先を指定できる構成としてもよい。
【０１１８】
管理システム５０は、セッション管理処理を行い（ステップＳ１０７）、接続要求を宛先の端末１０ａｂへ転送する（ステップＳ１０８）。
【０１１９】
宛先の端末１０ａｂは、接続要求を受信すると、着信処理を行い（ステップＳ１０９）、ユーザからの応答操作に応じて、管理システム５０へ応答を返す（ステップＳ１１０）。
【０１２０】
管理システム５０は、端末管理、セッション管理を行う（ステップＳ１１１）。具体的には、端末管理ＤＢ５００３の、要求元の端末１０ａａに対応付けられた「セッション数」の値を１増加させる。端末管理ＤＢ５００３の、宛先の端末１０ａｂに対応付けられた「稼動状態」を「ＯＮライン（通話中）」に変更する。また、セッション管理ＤＢ５００５に、セッションＩＤ、要求元の端末１０ａａのＩＤ、宛先の端末１０ａｂのＩＤ等を記録する。
【０１２１】
管理システム５０は、端末管理ＤＢ５００３の、宛先の端末１０ａｂに対応付けられた「稼動状態」が「ＯＮライン（伝送中）」であれば、宛先の端末１０ａｂに、配信用のセッションからの切断を要求する（ステップＳ１１２）。
【０１２２】
宛先の端末１０ａｂは、配信用のセッションの終了し、管理システム５０に、配信用のセッションからの切断を通知する（ステップＳ１１３）。
【０１２３】
管理システム５０は、配信用のセッションから宛先の端末１０ａｂを離脱させる（ステップＳ１１４）。
【０１２４】
管理システム５０は、配信用のセッションにおいて、要求元の端末１０ａａからの音声データが伝送されている場合、要求元の端末１０ａａに、配信用のセッションにおける音声データの送信の停止を指示する（ステップＳ１１５）。
【０１２５】
要求元の端末１０ａａは、配信用のセッションにおける音声データの送信を停止する（ステップＳ１１６）。
【０１２６】
管理システム５０は、配信用のセッションに接続している配信先の端末１０ｂａ、・・・に、音声データの配信を停止したことを通知する（ステップＳ１１７）。
【０１２７】
管理システム５０は、宛先の端末１０ａｂからの応答を要求元の端末１０ａａへ転送する（ステップＳ１１８）。
【０１２８】
要求元の端末１０ａａは、通話を接続し（ステップＳ１１９）、端末１０ａｂとの間の２者間の通信を開始する（ステップＳ１２０）。
【０１２９】
要求元の端末１０ａａは、ユーザからの通話切断操作に応じて、端末１０ａｂ宛ての切断要求を管理システム５０に送信する（ステップＳ１２１）。
【０１３０】
管理システム５０は、端末管理、セッション管理を行う（ステップＳ１２２）。具体的には、端末管理ＤＢ５００３の、要求元の端末１０ａａに対応付けられた「セッション数」の値を１減少させる。端末管理ＤＢ５００３の、宛先の端末１０ａｂに対応付けられた「稼動状態」を「ＯＮライン（通話可能）」に変更する。また、セッション管理ＤＢ５００５に記録した、当該セッションＩＤ、端末１０ａａのＩＤ、端末１０ａｂのＩＤ等を削除する。管理システム５０は、切断要求を宛先の端末１０ａｂへ転送する（ステップＳ１２３）。
【０１３１】
宛先の端末１０ａｂは、端末１０ａａとの間の２者間の通信を終了する（ステップＳ１２４）。
【０１３２】
次に、図８を用いて、図７の配信元の端末１０ａａの画面表示の例について説明する。図８（ａ）は、端末１０ａａが配信機能を起動した際の表示画面の例である。端末１０ａａは「映像配信」ボタン５０１、「参加者編集」ボタン５０２を表示する。図８（ｂ）は、図８（ａ）で「映像配信」ボタン５０１を押下され、図７のステップＳ１０３で映像を配信している際の画面表示例である。配信中のカメラ１１２ａの映像を自機である端末１０ａａのディスプレイ１２０に表示する。また、端末１０ａａは「連絡」ボタン５０３を表示する。図８（ｂ）の「連絡」ボタン５０３を押下されると宛先一覧が表示され、保育園のユーザは図７で説明したように通話の宛先を選択することができる。
【０１３３】
図８（ｃ）は、図７の配信先の端末１０ａｂが表示する画面表示の例を示す。図８（ｃ）は、端末１０ａｂが配信用アプリを起動した際の表示画面の例である。映像の配信先の端末１０ａｂが入室可能な、配信用の会議室（ＡＡ保育園及びＢＡ保育園）を示す情報が表示される。ＡＡ保育園及びＢＡ保育園は入室ボタン１３０１となっており、保護者が入室ボタン１３０１を押下することで会議室に入室できる。図８（ｃ）の入室ボタン１３０１は会議室の詳細を表示されるボタンとして使用される場合があり、この場合は図１３の会議室詳細画面の入室ボタン１３０１から保護者が会議室に入室できる。
【０１３４】
図８（ｄ）は、映像の配信用の会議室に入室した際の画面表示例である。配信元の端末１０ａａから配信されたコンテンツデータが表示される。
【０１３５】
<<会議室の新規作成>>
図７のステップＳ１０１〜ステップＳ１０５において、伝送システム１の会議室（配信室）を用いた配信機能の詳細例について説明する。配信機能は、要求元端末と１以上の宛先端末との間の参加が制限された配信用の通信を行う機能である。まず、配信用の会議室を新規に作成する処理について説明する。
【０１３６】
端末１０の操作入力受付部１２が、会議室の新規作成ボタンの押下を示す操作入力をユーザから受け付けると、端末１０の表示制御部１７が、会議室新規作成画像を端末１０に表示する。図９は、会議室を新規に作成する際に表示する会議室新規作成画像を示す図である。
【０１３７】
ここで、ユーザが会議室を新規作成する場合の端末１０及び管理システム５０の処理の流れについて、端末１０ａａのユーザの場合を例にして説明する。図１０は、会議室の新規作成時の処理を示したシーケンス図である。
【０１３８】
端末１０ａａの操作入力受付部１２は、新規作成ボタンの押下を示す操作入力をユーザから受け付ける（ステップＳ５０１）。端末１０ａａの送受信部１１は、端末１０ａａの通信ＩＤ「０１ａａ」を含む宛先端末情報取得要求を管理システム５０に送信する（ステップＳ５０２）。
【０１３９】
管理システム５０の端末抽出部５４は、送受信部５１を介して宛先端末情報取得要求を受信する。端末抽出部５４は、宛先端末情報取得要求に含まれる端末１０ａａの通信ＩＤ「０１ａａ」に基づいて、端末１０ａａに関連付けられている宛先端末の宛先端末情報（通信ＩＤ、端末名及び稼動状態）を取得する（ステップＳ５０３）。具体的には、端末抽出部５４は、まず、宛先端末情報取得要求に含まれる端末１０ａａの通信ＩＤ「０１ａａ」を検索キーにして、宛先リスト管理ＤＢ５００４の要求元端末の通信ＩＤを検索し、検索されたレコードの宛先端末の通信ＩＤ（「０１ａｂ」、「０１ｂａ」、「０１ｂｂ」、・・・）を取得する。次に、端末抽出部５４は、当該宛先端末の通信ＩＤ（「０１ａｂ」、「０１ｂａ」、「０１ｂｂ」、・・・）のそれぞれを検索キーにして、端末管理ＤＢ５００３の通信ＩＤを検索し、検索されたレコードの端末名及び稼動状態を取得する。例えば、端末抽出部５４は、検索キーが「０１ｂａ」の場合は、端末名「ＢＡ端末」と、稼動状態「ＯＮライン（通話可能）」とを端末管理ＤＢ５００３のレコードから取得する。
【０１４０】
次に、端末抽出部５４は、送受信部５１を介してステップＳ５０３で取得した通信ＩＤ、端末名及び稼動状態を含む宛先端末情報を端末１０ａａに送信する（ステップＳ５０４）。端末１０ａａの表示制御部１７は、送受信部１１を介して宛先端末情報を受信する。表示制御部１７は、宛先端末情報の通信ＩＤ、端末名及び稼動状態を含む会議室新規作成画像（図９参照）を端末１０ａａに表示する。端末１０ａａの操作入力受付部１２は、会議室名、及び会議に参加可能な端末１０の選択を示す操作入力を受け付ける（ステップＳ５０５）。端末１０ａａの操作入力受付部１２は、送受信部１１を介して会議室名及び会議に参加可能な端末１０の通信ＩＤを含む会議室新規作成情報を管理システム５０に送信する（ステップＳ５０６）。
【０１４１】
次に、管理システム５０の会議管理部５９は、送受信部５１を介して会議室新規作成情報を受信する。会議管理部５９は、会議室新規作成情報に含まれる会議室名に対応する会議室ＩＤを新規に作成する。会議管理部５９は、当該会議室ＩＤと当該会議室名とを関連付けたレコードを、会議室管理ＤＢ５００８に作成する。また、会議管理部５９は、当該会議室ＩＤと会議室新規作成情報に含まれる通信ＩＤとを関連付けたレコードを、入室管理ＤＢ５００７に作成する（ステップＳ５０７）。
【０１４２】
会議管理部５９は、送受信部５１を介して会議室を新規作成したことを示す会議室情報登録通知を端末１０ａａに送信する（ステップＳ５０８）。端末１０ａａの表示制御部１７は、送受信部１１を介して会議室情報登録通知を受信すると、会議室の登録が完了したことを示す情報を含む登録完了画像を端末１０ａａに表示する（ステップＳ５０９）。
【０１４３】
<<会議室への入室>>
図１１は、図７のステップＳ１０４で、配信用の会議室に端末１０が入室するときの処理を示したシーケンス図である。ここではマスターの端末１０ａｂが入室する場合を説明する。
【０１４４】
端末１０ａｂの操作入力受付部１２は、配信用アプリを起動させる操作入力を受け付ける（ステップＳ５４１）。次に、端末１０ａｂの送受信部１１は、端末１０ａｂの通信ＩＤ「０１ａｂ」を含む会議室一覧取得要求を管理システム５０に送信する（ステップＳ５４２）。
【０１４５】
次に、管理システム５０の会議管理部５９は、送受信部５１を介して会議室一覧取得要求を受信する。会議管理部５９は、会議室一覧取得要求に含まれる端末１０ａｂの通信ＩＤ「０１ａｂ」に基づいて、端末１０ａｂの通信ＩＤ「０１ａｂ」に関連する会議室の会議室ＩＤ及び会議室名を取得する（ステップＳ５４３）。具体的には、会議管理部５９は、まず、会議室一覧取得要求に含まれる端末１０ａｂの通信ＩＤ「０１ａｂ」を検索キーにして、入室管理ＤＢ５００７のレコードを検索し、検索されたレコードの会議室ＩＤ（１及び２）を取得する。次に、会議管理部５９は、会議室管理ＤＢ５００８を参照して当該会議室ＩＤ（１及び２）の会議室名（ＡＡ保育園及びＢＡ保育園）を取得する。
【０１４６】
次に、会議管理部５９は、送受信部５１を介してステップＳ５４３で取得した会議室ＩＤ及び会議室名を含む会議室一覧情報を端末１０ａｂに送信する（ステップＳ５４４）。端末１０ａｂの表示制御部１７は、送受信部１１を介して会議室一覧情報を受信する。端末１０ａｂの表示制御部１７は、会議室一覧情報の会議室名を含む会議室一覧画像を端末１０ａｂに表示する（ステップＳ５４５）。これにより図８（ｃ）の表示画面が表示される。マスターは図８（ｃ）の画面から入室することもできるし、次述する図１３の入室ボタン１３０１から入室してもよい。
【０１４７】
次に、端末１０ａａの操作入力受付部１２は、会議室一覧画像に含まれるＡＡ保育園の選択を示す操作入力をユーザから受け付ける（ステップＳ５４６）。端末１０ａａの送受信部１１は、ＡＡ保育園の会議室ＩＤ「１」を含む宛先端末情報取得要求を管理システム５０に送信する（ステップＳ５４７）。
【０１４８】
管理システム５０の会議管理部５９は、送受信部５１を介して宛先端末情報取得要求を受信する。会議管理部５９は、宛先端末情報取得要求に含まれるＡＡ保育園の会議室ＩＤ「１」に基づいて、会議室ＩＤ「１」に関連付けられている宛先端末の通信ＩＤ（「０１ａｂ」、「０１ｂａ」及び「０１ｂｂ」）を取得する。
【０１４９】
次に、端末抽出部５４は、当該宛先端末の通信ＩＤ（「０１ａｂ」、「０１ｂａ」及び「０１ｃａ」）のそれぞれを検索キーにして、端末管理ＤＢ５００３の通信ＩＤを検索し、検索されたレコードの端末名及び稼動状態を取得する。例えば、端末抽出部５４は、検索キーが「０１ａｂ」の場合は、端末名「ＡＢ端末」と、稼動状態「ＯＦＦライン」とを端末管理ＤＢ５００３のレコードから取得する（ステップＳ５４８）。
【０１５０】
次に、端末抽出部５４は、送受信部５１を介してステップＳ５４８で取得した通信ＩＤ、端末名及び稼動状態を含む宛先端末情報を端末１０ａａに送信する（ステップＳ５４９）。
【０１５１】
端末１０ａａの表示制御部１７は、送受信部１１を介して宛先端末情報を受信する。表示制御部１７は、宛先端末情報の通信ＩＤ、端末名及び稼動状態を含む会議室詳細画面（図１３参照）を端末１０ａａに表示する（ステップＳ５５０）。
【０１５２】
端末１０（要求元端末）の操作入力受付部１２は、会議室の選択操作入力を受け付ける（ステップＳ５５１）。
【０１５３】
次に、端末１０の送受信部１１は、入室ボタン１３０１を押下した要求元端末の通信ＩＤと、配信用の通信による通話の開始を要求する旨を示す情報「Ｉｎｖｉｔｅ＋Ｒｏｏｍ」と、当該会議室の会議室ＩＤとを含む入室要求を管理システム５０に送信する（ステップＳ５５２）。入室要求は、映像の閲覧を要求することであり映像の配信要求である。
【０１５４】
管理システム５０の会議管理部５９は、送受信部５１を介して入室要求を受信する。会議管理部５９は、入室要求に含まれる会議室ＩＤと通信ＩＤとの組み合わせと一致するレコードが、入室管理ＤＢ５００７にあるか否かを判定する（ステップＳ５５３）。ステップＳ５５３では、入室要求に含まれる会議室ＩＤと通信ＩＤとの組み合わせと一致するレコードが入室管理ＤＢ５００７に登録されているかどうか、セッションが確立しているかどうか等が判定される。
【０１５５】
会議管理部５９は、ステップＳ５５３の判定結果に応じた処理を行う（ステップＳ５５４）。入室可であれば、セッションＩＤと中継装置接続情報（中継装置３０のＩＰアドレス、認証情報、及びポート番号等）とを入室要求を送信した要求元端末に送信される。
【０１５６】
図１２は、入室判定の結果に応じた処理を示すフローチャートである。入室要求に含まれる会議室ＩＤと通信ＩＤとの組み合わせと一致するレコードが、入室管理ＤＢ５００７になく、管理システム５０の会議管理部５９の入室判定の結果が、入室ＯＫでない場合（ステップＳ５５４−１、Ｎｏ）、送受信部５１は、入室不可を示すエラー情報を、入室要求を送信した要求元端末に送信する（ステップＳ５５４−７）。
【０１５７】
入室要求に含まれる会議室ＩＤと通信ＩＤとの組み合わせと一致するレコードが、入室管理ＤＢ５００７にあり、管理システム５０の会議管理部５９の入室判定の結果が、入室ＯＫである場合（ステップＳ５５４−１、Ｙｅｓ）、ステップＳ５５４−２の処理に進む。
【０１５８】
セッション管理部５７は、入室要求に含まれる会議室ＩＤにより特定される会議室を使用した通信が既に行われているか否か（セッションが既に確立しているか否か）を判定する（ステップＳ５５４−２）。具体的には、セッション管理部５７は、入室要求に含まれる会議室ＩＤを検索キーにして、会議室管理ＤＢ５００８を検索し、検索されたレコードのセッションＩＤフィールドに、セッションＩＤが設定されているか否かを判定する。すなわち、セッション管理部５７は、検索されたレコードのセッションＩＤフィールドに、セッションＩＤが設定されている場合、セッションが既に確立していることを判定する。
【０１５９】
セッションが既に確立している場合（ステップＳ５５４−２、Ｙｅｓ）、当該セッションＩＤを検索キーにして、セッション管理ＤＢ５００５を検索し、検索されたレコードの宛先端末のフィールドに、入室要求に含まれる要求元端末の通信ＩＤを追加し、端末管理ＤＢ５００３に、入室要求に含まれる通信ＩＤと対応付けれた稼動状態を「ＯＮライン（伝送中）」に設定し（ステップＳ５５４−３）、ステップＳ５５４−６に進む。
【０１６０】
セッション管理部５７は、セッションＩＤを新規に作成し、セッション管理ＤＢ５００５にレコードを新規に作成する（ステップＳ５５４−４）。
【０１６１】
次に、会議管理部５９は、入室要求に含まれる会議室ＩＤを検索キーにして、会議室管理ＤＢ５００８を検索し、検索されたレコードのセッションＩＤフィールドに、ステップＳ５５４−４で新規に作成したセッションＩＤを設定する（ステップＳ５５４−５）。
【０１６２】
次に、送受信部５１は、セッションＩＤと中継装置接続情報（中継装置３０のＩＰアドレス、認証情報、及びポート番号等）とを入室要求を送信した要求元端末に送信する（ステップＳ５５４−６）。以上の処理により、要求元端末が中継装置と接続する処理が終了する。次に、要求元端末が、中継要求情報を管理システム５０に送信し、通話データの中継を要求する処理を開始する。これにより、会議室一覧に含まれる会議室名の選択をユーザから受け付けることにより入室要求を送信した要求元端末が、当該会議室を使用した配信用の通信を開始する。
【０１６３】
<<ゲストの通信ＩＤに基づく入室ボタンの表示>>
続いて、ゲストが会議室に入室する際の処理について説明する。
【０１６４】
図１４は、会議室にゲストが入室するために入室ボタン１３０１を表示する手順を示すシーケンス図の一例である。
S1：ゲストはマスターから通知された通信ＩＤ（ａｂａｂ）を入力し配信用アプリを起動する。
S2：これにより、ゲストの端末１０ａｂａｂの送受信部１１はゲストの通信ＩＤ（ａｂａｂ）を管理システム５０に送信する。
S3：管理システム５０の会議管理部５９は入室可能な会議室を検索する。すなわち、入室管理テーブルとゲスト入室管理テーブルを検索し、ゲストの通信ＩＤが含まれているか否かを判定する。この判定により、通信ＩＤがゲストのものかマスターのものか判定される。以下、マスターかゲストかによって場合を別けて説明する。
【０１６５】
入室管理テーブルに通信ＩＤが登録されている場合（マスターの通信ＩＤである場合）
S4:管理システム５０の会議管理部５９は端末１０ａｂａｂに入室可能な会議室を通知する。この処理は図１１のステップＳ５４３，Ｓ５４４と同様である。
S5:端末１０ａｂａｂの送受信部１１は入室可能な会議室を受信し、表示制御部１７が入室可能な会議室を表示する（図８（ｃ）参照）。
【０１６６】
ゲスト入室管理テーブルに通信ＩＤが登録されている場合（ゲストの通信ＩＤである場合）
S6：管理システム５０の会議管理部５９はゲスト入室管理テーブルから、ゲストの通信ＩＤに対応付けられている有効期間を読み出す。現在の日付が有効期間に含まれるか否かに基づき、会議管理部５９は映像の閲覧を可能であるか否かを判定する。
S7：現在の日付が有効期間に含まれない場合、管理システム５０の会議管理部５９はゲストの端末１０ａｂａに入室可能な会議室がないことを通知する。
S8：端末１０ａｂａｂの送受信部１１は入室可能な会議室がない旨の情報を受信し、表示制御部は入室可能な会議室がないことを表示する。
【０１６７】
S9：現在の日付が有効期間に含まれる場合、管理システム５０の会議管理部５９はゲストの端末１０ａｂａｂに入室可能な会議室を通知する。この処理は図１１のステップＳ５４３，Ｓ５４４と同様である。
S10：ゲストの端末１０ａｂａｂの送受信部１１は入室可能な会議室を受信し、表示制御部が入室可能な会議室を表示する（図８（ｃ）参照）。
【０１６８】
図１５は、図１４の処理において管理システム５０が行う処理を示すフローチャート図の一例である。図１５の処理は、ゲストが配信用アプリを起動することでスタートする（Ｓ１）。
【０１６９】
管理システム５０の会議管理部５９は入室管理テーブルと、ゲスト入室管理テーブルを検索する（Ｓ３）。
【０１７０】
検索により、会議管理部５９は通信ＩＤがゲストのものかマスターのものか判定する（Ｓ３−２）。
【０１７１】
ステップＳ３−２でマスターの通信ＩＤであると判定されると、管理システム５０の会議管理部５９は端末１０ａｂａｂに入室可能な会議室を通知する（Ｓ４）。
【０１７２】
ステップＳ３−２でゲストの通信ＩＤであると判定されると、管理システム５０の判定部６１はゲスト入室管理テーブルから、ゲストの通信ＩＤに対応付けられている有効期間を読み出す（Ｓ６）。
【０１７３】
そして、現在の日付が有効期間に含まれるか否かに基づき、判定部６１は映像の閲覧を可能であるか否かを判定する（Ｓ６−２）。
【０１７４】
閲覧が可能でない場合（Ｓ６−２のＮｏ）、管理システム５０の通知部６２はゲストの端末１０ａｂａｂに入室可能な会議室がないことを通知する（Ｓ７）。
【０１７５】
閲覧が可能な場合（Ｓ６−２のＹｅｓ）、管理システム５０の通知部６２はゲストの端末１０ａｂａｂに入室可能な会議室を通知する（Ｓ９）。
【０１７６】
このようにゲストの通信ＩＤで入室要求された場合、ゲストは有効期間にだけ会議室に入室できる。
【０１７７】
<<入室処理>>
次に、図１６，１７を用いて、ゲストが入室ボタン１３０１を押下してからの伝送システム１の処理を説明する。図１６は、ゲストが会議室に入室する手順を示すシーケンス図の一例である。
【０１７８】
S1：ゲストの端末１０ａｂａの操作入力受付部１２は入室ボタン１３０１の押下を示す操作入力を受け付ける。
【０１７９】
S2：ゲストの端末１０ａｂａｂの送受信部１１は、入室ボタン１３０１を押下した要求元端末の通信ＩＤと、通話の開始を要求する旨を示す情報「Ｉｎｖｉｔｅ＋Ｒｏｏｍ」と、会議室の会議室ＩＤとを含む入室要求を管理システム５０に送信する。
【０１８０】
S3：管理システム５０の会議管理部５９は送受信部５１を介して入室要求を受信する。 会議管理部５９は、入室要求に含まれる会議室ＩＤと通信ＩＤとの組み合わせと一致するレコードが、ゲスト入室管理ＤＢ５００９にあるか否かを判定する。
【０１８１】
S4：入室要求に含まれる会議室ＩＤと通信ＩＤとの組み合わせと一致するレコードが、ゲスト入室管理ＤＢ５００９のゲスト入室管理テーブルにない場合、管理システム５０の会議管理部５９は入室不可をゲスト端末に通知する。この場合、図１６の処理は終了する。
【０１８２】
S5：入室要求に含まれる会議室ＩＤと通信ＩＤとの組み合わせと一致するレコードが、ゲスト入室管理ＤＢ５００９のゲスト入室管理テーブルにあり、管理システム５０の会議管理部５９は入室ＯＫと判定した場合を説明する。この場合、セッション管理部５７は、入室要求に含まれる会議室ＩＤにより特定される会議室を使用した通信が既に行われているか否か（セッションが既に確立しているか否か）を判定する。具体的には、セッション管理部５７は、入室要求に含まれる会議室ＩＤを検索キーにして、会議室管理ＤＢ５００８を検索し、検索されたレコードのセッションＩＤフィールドに、セッションＩＤが設定されているか否かを判定する。すなわち、セッション管理部５７は、検索されたレコードのセッションＩＤフィールドに、セッションＩＤが設定されている場合、セッションが既に確立していると判定する。
【０１８３】
S6:セッションが確立されていない（配信が開始されていない）場合、管理システム５０の送受信部５１はその旨のメッセージをゲストの端末１０ａｂａｂに送信する。ゲストの端末１０ａｂａｂの表示制御部１７は配信が開始されていないことを表示する。
【０１８４】
S7：セッションが既に確立している場合、管理システム５０の判定部６１はマスターが会議に入室しているか否かを判定する。具体的には、ゲスト入室管理テーブルからゲストの通信ＩＤに対応付けられている関連通信ＩＤを取得する。次に、ステップＳ５で取得したセッションＩＤを検索キーにして、セッション管理ＤＢ５００５を検索し、検索されたレコードの宛先端末のフィールドに関連通信ＩＤに該当するマスターの端末１０ａｂの通信ＩＤが含まれているかを判定する。これにより、マスターの通信ＩＤがセッションを開始しているかどうか調べることができる。
【０１８５】
S8：セッション管理ＤＢにマスターの通信ＩＤに該当する端末１０ａｂが含まれている場合、管理システム５０の通知部６２は、関連通信ＩＤの端末１０ａｂを宛先にゲストの端末１０ａｂａｂが映像の閲覧を開始したことを通知する。承認が不要なので、マスターである保護者が祖父母などが入室するたびに承認する手間を省略できる。
【０１８６】
なお、管理システム５０の通知部６２は、関連通信ＩＤの端末１０ａｂにゲストの端末１０ａｂａｂが映像の閲覧を開始したことを通知しなくてよい。短時間に多くのゲストが入室した場合に保護者が煩わしく感じることを防止できる。この場合でも、マスターは任意のタイミングで入室しているゲストの一覧を管理システム５０から取得できる。この後、処理はステップＳ１３に進み、管理システム５０はゲストの端末ａｂａｂとのセッションを開始する。
【０１８７】
S9：セッション管理ＤＢにマスターの通信ＩＤに該当する端末１０ａｂが含まれていない場合、管理システム５０の判定部６１はゲスト入室管理テーブルの承認フィールドを確認する。
【０１８８】
S10：承認フィールドが×（未承認）の場合、管理システム５０の通知部６２は、マスターの通信ＩＤに登録されているメールアドレス等に、ゲストの端末１０ａｂａｂが映像を閲覧しようとしていることを送信する。承認フィールドが○（承認）の場合、処理はステップＳ１３に進み、管理システム５０はゲストの端末１０ａｂａｂとのセッションを開始する。
【０１８９】
S11：マスターの端末１０ａｂから承認の却下が通知された場合、管理システム５０の通知部６２はゲストの端末１０ａｂａｂに入室不可を通知する。
【０１９０】
S12：承認された場合、管理システム５０の会議管理部５９はゲスト入室管理テーブルの承認フィールドを○に設定する。
【０１９１】
S13：管理システム５０はセッション管理部はゲストの端末１０ａｂａｂとのセッションを開始する。すなわち、ステップＳ７で検索されたセッションＩＤをセッション管理ＤＢ５００５から検索し、検索されたレコードの宛先端末フィールドに、入室要求に含まれるゲストの端末１０ａｂａｂの通信ＩＤを追加する。
【０１９２】
S14：管理システム５０の送受信部５１は、セッションＩＤと中継装置接続情報（中継装置３０のＩＰアドレス、認証情報、及びポート番号等）とを入室要求を送信したゲストの端末１０ａｂａｂに送信する。以上の処理により、ゲストの端末１０が中継装置３０と接続する処理が終了する。 次に、ゲストの端末１０ａｂａｂが、中継要求情報を管理システム５０に送信し、通話データの中継を要求する処理を開始する。これにより、会議室一覧に含まれる会議室名の選択をユーザから受け付けることにより入室要求を送信したゲストの端末１０ａｂａｂが、当該会議室を使用した通信を開始する。
【０１９３】
次に、図１７の処理について説明する。図１７は、ゲストが会議室に入室する際に管理システム５０が行う手順を示すフローチャート図の一例である。図１７では、図１６で説明されなかった処理を主に説明する。図１７の処理は、ゲストが入室ボタン１３０１を押下してそれをゲストの端末１０ａｂａｂが受け付けることでスタートする（Ｓ１）。
【０１９４】
ステップＳ２，Ｓ３は図１６で説明された。次に、ステップＳ３−２で管理システム５０の会議管理部５９は入室を許可するか否かを判定する（Ｓ３−２）。具体的には、現在の日付が有効か否かを判定する。この判定方法は図１５のステップＳ７と同様である。図１６，１７で再度判定されるのは、図１５の判定から図１６，図１７の判定の間に日付が変わる可能性があるためである。
【０１９５】
次のステップＳ４〜１０については図１６で説明された。ステップＳ１０−２では判定部が承認されている否かを判定する。マスターはステップＳ１０の電子メールで通知されたＵＲＬにアクセスし「承認」「却下」ボタンを押下するなどして、ゲストが映像を閲覧することを承認するか又は却下する。ステップＳ１１〜Ｓ１４の処理は図１６で説明された。
【０１９６】
なお、マスターが電子メールに気づかない場合があるため、承認要求を送信後、所定時間が経過しても「承認」「却下」が管理システム５０に送信されない場合、管理システム５０の判定部は却下されたものと見なす。
【０１９７】
＜画面例＞
図１８を用いて、ゲストの端末１０ａｂａｂに表示される画面について説明する。図１８はゲストの端末１０ａｂａｂがディスプレイ１２０に表示する画面の遷移の一例を示す。図１８（ａ）は図９（ａ）と同じ画面であり、ゲストが映像の配信を要求する操作を行う（配信用アプリを起動させる）ことで表示される。
【０１９８】
ゲストが入室ボタン１３０１を押下した際にマスターが会議室に入室していないものとする。したがって、図１６，１７で説明したように管理システム５０は承認処理をマスターに要求する。ゲストの端末１０ａｂａｂはマスターの承認待ちであることをゲストに把握させるため、ゲストの端末１０ａｂａｂの表示制御部１７は図１８（ｂ）に示すようにメッセージ５２１を表示する。このメッセージ５２１には「○○○さんへ閲覧承認要求中」と表示されている。○○○はマスターの端末名である。
【０１９９】
マスターが承認することで管理システム５０がゲストの端末１０ａｂａｂとセッションを確立して映像の配信を開始する。これにより、図１８（ｃ）に示すようにゲストの端末１０ａｂａｂは映像を表示できる。
【０２００】
図１９（ａ）は、マスターの端末１０ａｂに表示される画面の一例を示す図である。ゲストの端末１０が映像の閲覧を開始する際に、マスターの端末１０ａｂも同じ会議室に入室し、映像を閲覧しているものとする。この場合、管理システム５０はマスターによる承認を行わず、ゲストが入室することをマスターの端末１０ａｂに通知する。すなわち、管理システム５０はゲスト入室管理テーブルから、ゲストの通信ＩＤと対応付けられているマスターの通信ＩＤを取得して、マスターを特定しマスターの端末１０ａｂにメッセージを送信する。
【０２０１】
マスターの端末１０ａｂは、図１９（ａ）に示すように例えば「祖父母が閲覧を開始しました」というメッセージ５３１をポップアップ表示する。この「祖父母」はゲスト端末管理テーブルの関係フィールドから管理システム５０が読み出すことができる。したがって、マスターは誰が映像の叡覧を開始したかを把握できる。
【０２０２】
図１９（ｂ）は、保育園の端末１０ａａに表示される画面の一例を示す図である。保育園側の管理者などが、現在、映像を閲覧している人を確認したい事がある。保育園の管理者などが閲覧者一覧を表示するための操作を行うと、端末１０ａａがこの操作を受け付ける。保育園の端末１０ａａはマスターの通信ＩＤ５４１やゲストの通信ＩＤ５４１及びゲスト入室管理テーブルの関係フィールドの情報５４２などをディスプレイ１２０に表示する。
【０２０３】
具体的には端末１０ａａは、通信ＩＤと共に管理システム５０に閲覧者の一覧要求を送信する。管理システム５０はセッション管理テーブルの要求元端末を通信ＩＤで検索して宛先端末の通信ＩＤを特定する。この通信ＩＤにはマスターのものとゲストのものがあり得る。ゲスト入室管理テーブルに登録されている通信ＩＤはゲストであり、管理システム５０は関係フィールドの情報を取得しておく。また、マスターの通信ＩＤを端末管理テーブルで検索すると端末名を取得できる。
【０２０４】
したがって、これらの情報から、図１９（ｂ）の画面を表示することができる。通信ＩＤ５４１と共に又は通信ＩＤに代えて端末名を表示してもよい。なお、同様の処理をマスターの端末１０ａｂが行うことができる。
【０２０５】
以上説明したように、本実施形態の伝送システム１ではゲストとして祖父母などがログインする際に、保護者のログイン状態によってゲストがログインする旨の通知態様を変更するので、ゲストが映像を閲覧する際のマスターの負担を軽減できる。すなわち、承認を必要とするか通知のみにするかを自動的に選択でき、ゲストが映像を閲覧するために必要なマスターの手続きを適切なものにすることができる。
【０２０６】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０２０７】
例えば、本実施形態ではえ映像の配信拠点を保育園、マスターを保護者を、ゲストを祖父母として説明したが、マスターとゲストの関係はこれに限られない。例えば、映像の配信拠点を幼稚園、小学校、中学校、高校、大学、塾などの教育施設にすることができる。また、映像の配信拠点を介護施設としてマスターを子息、ゲストを親戚としてもよい。また、映像の配信拠点をスポーツ施設としてマスターを会員、ゲストを友人としてもよい。
【０２０８】
また、本実施例では、中継装置３０を介して端末１０が通信しているが、端末１０は中継装置を介さずに通信してもよい。このような通信の通信プロトコルとして例えばＷｅｂＲＴＣ（Web Real-Time Communication）が知られている。
【０２０９】
また、図５などの構成例は、伝送管理システム５０及び端末１０による処理の理解を容易にするために、主な機能に応じて分割したものである。処理単位の分割の仕方や名称によって本願発明が制限されることはない。伝送管理システム５０及び端末１０の処理は、処理内容に応じてさらに多くの処理単位に分割することもできる。また、１つの処理単位がさらに多くの処理を含むように分割することもできる。
【０２１０】
また、本実施例では説明の都合上、伝送管理システム５０と中継装置３０を別々の装置として説明したが、両者の機能が統合された装置が伝送管理システム５０と中継装置３０の機能を提供してもよい。
【０２１１】
また、伝送システム１が複数の伝送管理システム５０を有していてもよく、伝送管理システム５０の機能が複数のサーバに分散して設置されていてもよい。
【０２１２】
また、伝送管理システム５０が記憶部５０００に有する各データベースの１つ以上は通信ネットワーク２上に存在していてもよい。
【０２１３】
なお、管理システム５０は情報処理装置の一例であり、送受信部５１は配信要求取得手段の一例であり、ゲスト入室管理ＤＢ５００９はアカウント情報記憶部の一例であり、判定部６１は判定手段の一例であり、通知部６２は通知手段の一例である。保育園の端末１０ａａは配信元の一例であり、保護者（マスター）の端末１０ａｂは第１の端末の一例であり、祖父母（ゲスト）の端末１０ａｂａｂは第２の端末の一例である。セッション制御部５８はセッション確立手段の一例であり、セッション管理ＤＢ５００５等は映像配信端末記憶部の一例である。表示制御部１７は表示手段の一例であり、送受信部１１は送信手段の一例であり、伝送システム１は通信システムの一例である。
【符号の説明】
【０２１４】
１    伝送システム
１０  端末
１１  送受信部
１２  操作入力受付部
５０  管理システム
５１  送受信部
５９  会議管理部
６１  判定部
６２  通知部
【先行技術文献】
【特許文献】
【０２１５】
【特許文献１】特開２００４−１３５３３号公報
【図１】
2017143443.tif 000012
【図２】
2017143443.tif 000013
【図３】
2017143443.tif 000014
【図４】
2017143443.tif 000015
【図５】
2017143443.tif 000016
【図６】
2017143443.tif 000017
【図７】
2017143443.tif 000018
【図８】
2017143443.tif 000019
【図９】
2017143443.tif 000020
【図１０】
2017143443.tif 000021
【図１１】
2017143443.tif 000022
【図１２】
2017143443.tif 000023
【図１３】
2017143443.tif 000024
【図１４】
2017143443.tif 000025
【図１５】
2017143443.tif 000026
【図１６】
2017143443.tif 000027
【図１７】
2017143443.tif 000028
【図１８】
2017143443.tif 000029
【図１９】
2017143443.tif 000030